(57)【特許請求の範囲】
【請求項１】
仮想化ネットワーク機能マネージャ（ＶＮＦＭ）間のインターフェースを確立するための方法であって、
第２ＶＮＦＭにより送信されたインターフェース確立要求メッセージを、第１ＶＮＦＭにより受信する段階であって、前記インターフェース確立要求メッセージは、前記第１ＶＮＦＭ及び前記第２ＶＮＦＭの間の通信インターフェースを確立するよう要求するために用いられる、段階と、
前記第１ＶＮＦＭにより、前記インターフェース確立要求メッセージと、前記第１ＶＮＦＭのインターフェース確立ポリシーとに従って、前記通信インターフェースの確立を許可するかを決定する段階と、
前記第１ＶＮＦＭが前記通信インターフェースの確立を許可すると決定したとき、前記第１ＶＮＦＭにより、インターフェース確立応答メッセージを前記第２ＶＮＦＭに送信する段階であって、前記インターフェース確立応答メッセージは、前記通信インターフェースが問題なく確立されたことを示すために用いられる、段階と
を備える
方法。
【請求項２】
前記第１ＶＮＦＭの前記インターフェース確立ポリシーは、確立されることが前記第１ＶＮＦＭにより許可される通信インターフェースの最大数量を含み、
前記第１ＶＮＦＭにより、前記インターフェース確立要求メッセージと、前記第１ＶＮＦＭのインターフェース確立ポリシーに従って、前記通信インターフェースの確立を許可するかを決定する前記段階は、
前記第１ＶＮＦＭにより、前記インターフェース確立要求メッセージに従って、前記第１ＶＮＦＭの確立されている通信インターフェースの数量が、確立されることが前記第１ＶＮＦＭにより許可される通信インターフェースの前記最大数量より少ないかを決定する段階と、
前記第１ＶＮＦＭの確立されている通信インターフェースの前記数量が、確立されることが前記第１ＶＮＦＭにより許可される通信インターフェースの前記最大数量より少ないとき、前記第１ＶＮＦＭにより、前記通信インターフェースの確立を許可すると決定する段階、又は、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記通信インターフェースの確立を許可しないと決定する段階とを含む、請求項１に記載の方法。
【請求項３】
前記第１ＶＮＦＭの前記インターフェース確立ポリシーは、ＶＮＦＭ間の優先度関係をさらに含み、前記優先度関係は、前記第１ＶＮＦＭにより、前記第１ＶＮＦＭと別のＶＮＦＭとの間の通信インターフェースを確立するために用いられ、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記通信インターフェースの確立を許可しないと決定する前記段階は、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記第２ＶＮＦＭの優先度を取得する段階と、
前記第１ＶＮＦＭにより、前記第２ＶＮＦＭの前記優先度に従って、前記優先度関係における前記第２ＶＮＦＭに対応する優先度を決定する段階と、
前記第１ＶＮＦＭにより、前記優先度関係における前記第２ＶＮＦＭに対応する前記優先度が、前記優先度関係における第３ＶＮＦＭに対応する優先度より高いかを決定する段階であって、前記第３ＶＮＦＭは、前記優先度関係において最も低い優先度に対応し、前記第１ＶＮＦＭと通信インターフェースを確立している複数のＶＮＦＭのうちのＶＮＦＭである、段階と、
前記優先度関係における前記第２ＶＮＦＭに対応する前記優先度が前記優先度関係における前記第３ＶＮＦＭに対応する前記優先度より高いと前記第１ＶＮＦＭが決定したとき、前記第１ＶＮＦＭにより、前記通信インターフェースの確立を許可すると決定する段階、又は、
前記優先度関係における前記第２ＶＮＦＭに対応する前記優先度が前記優先度関係における前記第３ＶＮＦＭに対応する前記優先度より低いと前記第１ＶＮＦＭが決定したとき、前記第１ＶＮＦＭにより、前記通信インターフェースの確立を許可しないと決定する段階とを含む、請求項２に記載の方法。
【請求項４】
前記第１ＶＮＦＭの前記インターフェース確立ポリシーは、確立されることが前記第１ＶＮＦＭにより許可される通信インターフェースの最大数量と、第１リストとを含み、前記第１リストは、ブラックリスト又はホワイトリストのうち少なくとも１つを含み、前記ブラックリストは、前記第１ＶＮＦＭとインターフェースを確立することが前記第１ＶＮＦＭにより許可されないＶＮＦＭのアイデンティティを含み、前記ホワイトリストは、前記第１ＶＮＦＭとインターフェースを確立することが前記第１ＶＮＦＭにより許可されるＶＮＦＭのアイデンティティを含み、前記インターフェース確立要求メッセージは、前記第２ＶＮＦＭのアイデンティティを保持し、
前記第１ＶＮＦＭにより、前記インターフェース確立要求メッセージと、前記第１ＶＮＦＭのインターフェース確立ポリシーとに従って、前記通信インターフェースの確立を許可するかを決定する前記段階は、
前記第１ＶＮＦＭにより、前記インターフェース確立要求メッセージにおいて保持される前記第２ＶＮＦＭの前記アイデンティティを取得する段階と、
前記第１リストが少なくとも前記ホワイトリストを含み、前記ホワイトリストが前記第２ＶＮＦＭの前記アイデンティティを含むとき、前記第１ＶＮＦＭにより、前記通信インターフェースの確立を許可すると決定する段階、又は、
前記第１リストが少なくとも前記ブラックリストを含み、前記ブラックリストが前記第２ＶＮＦＭの前記アイデンティティを含むとき、前記第１ＶＮＦＭにより、前記通信インターフェースの確立を許可しないと決定する段階、又は、
前記第１リストが前記第２ＶＮＦＭの前記アイデンティティを含まないとき、前記第１ＶＮＦＭにより、前記第１ＶＮＦＭの確立されている通信インターフェースの数量が、確立されることが前記第１ＶＮＦＭにより許可される通信インターフェースの前記最大数量より少ないかを決定する段階と、
前記第１ＶＮＦＭの確立されている通信インターフェースの前記数量が、確立されることが前記第１ＶＮＦＭにより許可される通信インターフェースの前記最大数量より少ないとき、前記第１ＶＮＦＭにより、前記通信インターフェースの確立を許可すると決定する段階、又は、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記通信インターフェースの確立を許可しないと決定する段階とを含む、請求項１に記載の方法。
【請求項５】
前記第１ＶＮＦＭの前記インターフェース確立ポリシーは、ＶＮＦＭ間の優先度関係をさらに含み、前記優先度関係は、前記第１ＶＮＦＭにより、前記第１ＶＮＦＭと別のＶＮＦＭとの間の通信インターフェースを確立するために用いられ、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記通信インターフェースの確立を許可しないと決定する前記段階は、
前記第１ＶＮＦＭの確立されている通信インターフェースの前記数量が、確立されることが前記第１ＶＮＦＭにより許可される通信インターフェースの前記最大数量に等しいとき、前記第１ＶＮＦＭにより、前記第２ＶＮＦＭの優先度を取得する段階と、
前記第２ＶＮＦＭの前記優先度に従って、前記第１ＶＮＦＭにより、前記優先度関係における前記第２ＶＮＦＭに対応する優先度を決定する段階と、
前記第１ＶＮＦＭにより、前記優先度関係における前記第２ＶＮＦＭに対応する前記優先度が前記優先度関係における第４ＶＮＦＭに対応する優先度より高いかを決定する段階であって、前記第１リストが少なくとも前記ホワイトリストを含むとき、前記第４ＶＮＦＭは、前記優先度関係において最も低い優先度に対応し、アイデンティティが前記ホワイトリストに存在せずに前記第１ＶＮＦＭと通信インターフェースを確立している複数のＶＮＦＭのうちのＶＮＦＭであり、又は、前記第１リストが前記ホワイトリストを含まないとき、前記第４ＶＮＦＭは、前記優先度関係において最も低い優先度に対応する優先度に対応し、前記第１ＶＮＦＭと通信インターフェースを確立している複数のＶＮＦＭのうちのＶＮＦＭである、段階と、
前記優先度関係における前記第２ＶＮＦＭに対応する前記優先度が前記優先度関係における前記第４ＶＮＦＭに対応する前記優先度より高いと前記第１ＶＮＦＭが決定したとき、前記第１ＶＮＦＭにより、前記通信インターフェースの確立を許可すると決定する段階、又は、
前記優先度関係における前記第２ＶＮＦＭの前記優先度が前記優先度関係における前記第４ＶＮＦＭに対応する前記優先度より低いと前記第１ＶＮＦＭが決定したとき、前記第１ＶＮＦＭにより、前記通信インターフェースの確立を許可しないと決定する段階とを含む、請求項４に記載の方法。
【請求項６】
前記第１ＶＮＦＭにより、前記第２ＶＮＦＭの優先度を取得する前記段階は、
前記第１ＶＮＦＭにより、前記インターフェース確立要求メッセージにおいて保持される前記第２ＶＮＦＭの前記優先度を取得する段階、又は、
前記第１ＶＮＦＭにより、前記第１ＶＮＦＭにおいて格納される前記第２ＶＮＦＭの前記優先度を取得する段階を含む、請求項３又は５に記載の方法。
【請求項７】
前記第１ＶＮＦＭにより、前記第２ＶＮＦＭへインターフェース確立応答メッセージを送信する前記段階の後に、前記方法は、
前記第１ＶＮＦＭにより、更新されたブラックリストを取得する段階と、
前記更新されたブラックリストが前記第２ＶＮＦＭの前記アイデンティティを含むと前記第１ＶＮＦＭが決定したとき、前記第１ＶＮＦＭにより、前記通信インターフェースを切断する段階とをさらに備える、請求項４又は５に記載の方法。
【請求項８】
前記第１ＶＮＦＭにより、前記第２ＶＮＦＭへインターフェース確立応答メッセージを送信する前記段階の後に、前記方法は、
前記第２ＶＮＦＭにより送信されたインターフェース切断要求メッセージを前記第１ＶＮＦＭにより受信する段階であって、前記インターフェース切断要求メッセージは、前記通信インターフェースを切断するように前記第１ＶＮＦＭに命令するために用いられる、段階と、
前記第１ＶＮＦＭにより、前記インターフェース切断要求メッセージに従って、前記通信インターフェースを切断する段階とをさらに備える、請求項１から６の何れか一項に記載の方法。
【請求項９】
前記第１ＶＮＦＭにより、前記インターフェース確立要求メッセージと、前記第１ＶＮＦＭのインターフェース確立ポリシーとに従って、前記通信インターフェースの確立を許可するかを決定する前記段階の後に、前記方法は、
前記第１ＶＮＦＭが前記通信インターフェースの確立を許可しないと決定したとき、前記第１ＶＮＦＭにより、インターフェース確立拒否メッセージを前記第２ＶＮＦＭに送信する段階であって、前記インターフェース確立拒否メッセージは、前記通信インターフェースの確立が失敗したことを示すために用いられる、段階をさらに備える、請求項１から６の何れか一項に記載の方法。
【請求項１０】
仮想化ネットワーク機能マネージャ（ＶＮＦＭ）間のインターフェースを確立するための方法であって、
第２ＶＮＦＭにより、インターフェース確立要求メッセージを第１ＶＮＦＭに送信する段階であって、前記インターフェース確立要求メッセージは、前記第１ＶＮＦＭと前記第２ＶＮＦＭとの間の通信インターフェースを確立するよう要求するために用いられる、段階と、
前記第１ＶＮＦＭにより送信されたインターフェース確立応答メッセージを前記第２ＶＮＦＭにより受信する段階であって、前記インターフェース確立応答メッセージは、前記通信インターフェースが問題なく確立されたことを示すために用いられる、段階と
を備える
方法。
【請求項１１】
第２ＶＮＦＭによりインターフェース確立要求メッセージを第１ＶＮＦＭに送信される前記段階の前に、前記方法は、
前記第２ＶＮＦＭにより、前記第１ＶＮＦＭの属性を取得する段階であって、前記第１ＶＮＦＭの前記属性は少なくとも、前記第１ＶＮＦＭのアイデンティティを含み、前記第１ＶＮＦＭの前記属性は、前記第２ＶＮＦＭにより、前記インターフェース確立要求メッセージを前記第１ＶＮＦＭに送信するために用いられる、段階をさらに備える、請求項１０に記載の方法。
【請求項１２】
前記第２ＶＮＦＭにより、前記第１ＶＮＦＭの属性を取得する前記段階は、
前記第２ＶＮＦＭにより、前記第２ＶＮＦＭにおいて格納される前記第１ＶＮＦＭの前記属性を取得する段階を含む、請求項１１に記載の方法。
【請求項１３】
前記第２ＶＮＦＭにより、前記第１ＶＮＦＭの属性を取得する前記段階は、
前記第２ＶＮＦＭにより、アイデンティティ要求メッセージをブロードキャストする段階であって、前記アイデンティティ要求メッセージは、前記インターフェース確立要求メッセージが送信されるべきＶＮＦＭの属性を要求するために用いられる、段階と、
前記第１ＶＮＦＭにより送信されたアイデンティティ応答メッセージを前記第２ＶＮＦＭにより受信する段階であって、前記アイデンティティ応答メッセージは、前記第１ＶＮＦＭの前記属性を保持する、段階とを含む、請求項１１に記載の方法。
【請求項１４】
第２ＶＮＦＭにより送信されたインターフェース確立要求メッセージを受信する受信ユニットであって、前記インターフェース確立要求メッセージは、第１ＶＮＦＭと前記第２ＶＮＦＭとの間の通信インターフェースを確立するよう要求するために用いられる、受信ユニットと、
前記受信ユニットにより受信された前記インターフェース確立要求メッセージと、前記第１ＶＮＦＭのインターフェース確立ポリシーとに従って、前記通信インターフェースの確立を許可するかを決定する決定ユニットと、
前記決定ユニットが前記通信インターフェースの確立を許可すると決定したとき、インターフェース確立応答メッセージを前記第２ＶＮＦＭに送信する送信ユニットであって、前記インターフェース確立応答メッセージは、前記通信インターフェースが問題なく確立されることを示すために用いられる、送信ユニットと
を備える
装置。
【請求項１５】
前記第１ＶＮＦＭの前記インターフェース確立ポリシーは、確立されることが前記第１ＶＮＦＭにより許可される通信インターフェースの最大数量を含み、
前記決定ユニットは、前記受信ユニットにより受信された前記インターフェース確立要求メッセージに従って、前記第１ＶＮＦＭの確立されている通信インターフェースの数量が、確立されることが前記第１ＶＮＦＭにより許可される通信インターフェースの前記最大数量より少ないかを決定し、
前記決定ユニットは、前記第１ＶＮＦＭの確立されている通信インターフェースの前記数量が、確立されることが前記第１ＶＮＦＭにより許可される通信インターフェースの前記最大数量より少ないとき、前記通信インターフェースの確立を許可すると決定する、又は、
前記決定ユニットは、前記第１ＶＮＦＭの確立されている通信インターフェースの前記数量が、確立されることが前記第１ＶＮＦＭにより許可される通信インターフェースの前記最大数量に等しいとき、前記通信インターフェースの確立を許可しないと決定する、請求項１４に記載の装置。
【請求項１６】
前記第１ＶＮＦＭの前記インターフェース確立ポリシーは、ＶＮＦＭ間の優先度関係をさらに含み、前記優先度関係は、前記第１ＶＮＦＭにより、前記第１ＶＮＦＭと別のＶＮＦＭとの間の通信インターフェースを確立するために用いられ、
前記決定ユニットは、前記第１ＶＮＦＭの確立されている通信インターフェースの前記数量が、確立されることが前記第１ＶＮＦＭにより許可される通信インターフェースの前記最大数量に等しいとき、前記第２ＶＮＦＭの優先度を取得し、
前記決定ユニットは、前記第２ＶＮＦＭの前記優先度に従って、前記優先度関係における前記第２ＶＮＦＭに対応する優先度を決定し、
前記決定ユニットは、前記優先度関係における前記第２ＶＮＦＭに対応する前記優先度が前記優先度関係における第３ＶＮＦＭに対応する優先度より高いかを決定し、前記第３ＶＮＦＭは、前記優先度関係において最も低い優先度に対応し、前記第１ＶＮＦＭと通信インターフェースを確立している複数のＶＮＦＭのうちのＶＮＦＭであり、
前記決定ユニットは、前記優先度関係における前記第２ＶＮＦＭに対応する前記優先度が前記優先度関係における前記第３ＶＮＦＭに対応する前記優先度より高いとき、前記通信インターフェースの確立を許可すると決定する、又は、
前記決定ユニットは、前記優先度関係における前記第２ＶＮＦＭに対応する前記優先度が前記優先度関係における前記第３ＶＮＦＭに対応する前記優先度より低いとき、前記通信インターフェースの確立を許可しないと決定する、請求項１５に記載の装置。
【請求項１７】
前記第１ＶＮＦＭの前記インターフェース確立ポリシーは、確立されることが前記第１ＶＮＦＭにより許可される通信インターフェースの最大数量と、第１リストとを含み、前記第１リストは、ブラックリスト又はホワイトリストのうち少なくとも１つを含み、前記ブラックリストは、前記第１ＶＮＦＭとインターフェースを確立することが前記第１ＶＮＦＭにより許可されないＶＮＦＭのアイデンティティを含み、前記ホワイトリストは、前記第１ＶＮＦＭとインターフェースを確立することが前記第１ＶＮＦＭにより許可されるＶＮＦＭのアイデンティティを含み、前記インターフェース確立要求メッセージは、前記第２ＶＮＦＭの前記アイデンティティを保持し、
前記決定ユニットは、前記インターフェース確立要求メッセージにおいて保持される前記第２ＶＮＦＭのアイデンティティを取得し、
前記決定ユニットは、前記第１リストが少なくとも前記ホワイトリストを含み、前記ホワイトリストが前記第２ＶＮＦＭの前記アイデンティティを含むとき、前記通信インターフェースの確立を許可すると決定する、又は、
前記決定ユニットは、前記第１リストが少なくとも前記ブラックリストを含み、前記ブラックリストが前記第２ＶＮＦＭの前記アイデンティティを含むとき、前記通信インターフェースの確立を許可しないと決定する、又は、
前記決定ユニットは、前記第１リストが前記第２ＶＮＦＭの前記アイデンティティを含まないとき、前記第１ＶＮＦＭの確立されている通信インターフェースの数量が、確立されることが前記第１ＶＮＦＭにより許可される通信インターフェースの前記最大数量より少ないかを決定し、
前記決定ユニットは、前記第１ＶＮＦＭの確立されている通信インターフェースの前記数量が、確立されることが前記第１ＶＮＦＭにより許可される通信インターフェースの前記最大数量より少ないとき、前記通信インターフェースの確立を許可すると決定する、又は、
前記決定ユニットは、前記第１ＶＮＦＭの確立されている通信インターフェースの前記数量が、確立されることが前記第１ＶＮＦＭにより許可される通信インターフェースの前記最大数量に等しいとき、前記通信インターフェースの確立を許可しないと決定する、請求項１４に記載の装置。
【請求項１８】
前記第１ＶＮＦＭの前記インターフェース確立ポリシーは、ＶＮＦＭ間の優先度関係をさらに含み、前記優先度関係は、前記第１ＶＮＦＭにより、前記第１ＶＮＦＭと別のＶＮＦＭとの間の通信インターフェースを確立するために用いられ、
前記決定ユニットは、前記第１ＶＮＦＭの確立されている通信インターフェースの前記数量が、確立されることが前記第１ＶＮＦＭにより許可される通信インターフェースの前記最大数量に等しいとき、前記第２ＶＮＦＭの優先度を取得し、
前記決定ユニットは、前記第２ＶＮＦＭの前記優先度に従って、前記優先度関係における前記第２ＶＮＦＭに対応する優先度を決定し、
前記決定ユニットは、前記優先度関係における前記第２ＶＮＦＭに対応する前記優先度が、前記優先度関係における第４ＶＮＦＭに対応する優先度より高いかを決定し、前記第１リストが少なくとも前記ホワイトリストを含むとき、前記第４ＶＮＦＭは、前記優先度関係において最も低い優先度に対応し、アイデンティティが前記ホワイトリストに存在せずに前記第１ＶＮＦＭと通信インターフェースを確立している複数のＶＮＦＭのうちのＶＮＦＭであり、又は、前記第１リストが前記ホワイトリストを含まないとき、前記第４ＶＮＦＭは、前記優先度関係において最も低い優先度に対応し、前記第１ＶＮＦＭと通信インターフェースを確立している複数のＶＮＦＭのうちのＶＮＦＭであり、
前記決定ユニットは、前記優先度関係における前記第２ＶＮＦＭに対応する前記優先度が前記優先度関係における前記第４ＶＮＦＭに対応する前記優先度より高いとき、前記通信インターフェースの確立を許可すると決定する、又は、
前記決定ユニットは、前記優先度関係における前記第２ＶＮＦＭの前記優先度が前記優先度関係における前記第４ＶＮＦＭに対応する前記優先度より低いとき、前記通信インターフェースの確立を許可しないと決定する、請求項１７に記載の装置。
【請求項１９】
前記決定ユニットは、前記インターフェース確立要求メッセージにおいて保持される前記第２ＶＮＦＭの前記優先度を取得する、又は、
前記決定ユニットは、前記第１ＶＮＦＭにおいて格納される前記第２ＶＮＦＭの前記優先度を取得する、請求項１６又は１８に記載の装置。
【請求項２０】
前記装置は、取得ユニットと、切断ユニットとをさらに備え、
前記取得ユニットは、前記送信ユニットが前記インターフェース確立応答メッセージを前記第２ＶＮＦＭに送信した後に、更新されたブラックリストを取得し、
前記切断ユニットは、前記取得ユニットにより取得された前記更新されたブラックリストが前記第２ＶＮＦＭの前記アイデンティティを含むとき、前記通信インターフェースを切断する、請求項１７又は１８に記載の装置。
【請求項２１】
前記装置は、切断ユニットをさらに備え、
前記受信ユニットはさらに、前記送信ユニットが前記インターフェース確立応答メッセージを前記第２ＶＮＦＭに送信した後に、前記第２ＶＮＦＭにより送信されたインターフェース切断要求メッセージを受信し、前記インターフェース切断要求メッセージは、前記通信インターフェースを切断するよう前記切断ユニットに命令するために用いられ、
前記切断ユニットは、前記受信ユニットにより受信された前記インターフェース切断要求メッセージに従って、前記通信インターフェースを切断する、請求項１４から１９の何れか一項に記載の装置。
【請求項２２】
前記送信ユニットはさらに、前記決定ユニットが前記通信インターフェースの確立を許可しないと決定したとき、インターフェース確立拒否メッセージを前記第２ＶＮＦＭに送信し、前記インターフェース確立拒否メッセージは、前記通信インターフェースの確立が失敗したことを示すために用いられる、請求項１４から１９の何れか一項に記載の装置。
【請求項２３】
仮想化ネットワーク機能マネージャ（ＶＮＦＭ）間のインターフェースを確立するための装置であって、
インターフェース確立要求メッセージを第１ＶＮＦＭに送信する送信ユニットであって、前記インターフェース確立要求メッセージは、前記第１ＶＮＦＭと第２ＶＮＦＭとの間の通信インターフェースを確立するよう要求するために用いられる、送信ユニットと、
前記第１ＶＮＦＭにより送信されたインターフェース確立応答メッセージを受信する受信ユニットであって、前記インターフェース確立応答メッセージは、前記通信インターフェースが問題なく確立されることを示すために用いられる、受信ユニットと
を備える
装置。
【請求項２４】
前記装置は、取得ユニットをさらに備え、
前記取得ユニットは、前記送信ユニットが前記インターフェース確立要求メッセージを前記第１ＶＮＦＭに送信する前に、前記第１ＶＮＦＭの属性を取得し、前記第１ＶＮＦＭの前記属性は少なくとも、前記第１ＶＮＦＭのアイデンティティを含み、前記第１ＶＮＦＭの前記属性は、前記送信ユニットにより、前記インターフェース確立要求メッセージを前記第１ＶＮＦＭに送信するために用いられる、請求項２３に記載の装置。
【請求項２５】
前記取得ユニットは、前記第２ＶＮＦＭにおいて格納される前記第１ＶＮＦＭの前記属性を取得する、請求項２４に記載の装置。
【請求項２６】
前記取得ユニットは、ブロードキャストモジュールと、受信モジュールとを有し、
前記ブロードキャストモジュールは、アイデンティティ要求メッセージをブロードキャストし、前記アイデンティティ要求メッセージは、前記インターフェース確立要求メッセージが送信されるべきＶＮＦＭの属性を要求するために用いられ、
前記受信モジュールは、前記第１ＶＮＦＭにより送信されたアイデンティティ応答メッセージを受信し、前記アイデンティティ応答メッセージは、前記第１ＶＮＦＭの前記属性を保持する、請求項２４に記載の装置。
【請求項２７】
請求項１４から２２の何れか一項に記載の装置と、請求項２３から２６の何れか一項に記載の装置とを備える通信システム。
【発明の詳細な説明】
【技術分野】
【０００１】
本発明は、通信技術分野に関し、特に、ＶＮＦＭ間のインターフェースを確立するための方法及び装置、並びにシステムに関する。
【背景技術】
【０００２】
仮想化技術の急速な開発に伴い、ネットワーク機能仮想化（英語表記：ｎｅｔｗｏｒｋ  ｆｕｎｃｔｉｏｎ  ｖｉｒｔｕａｌｉｚａｔｉｏｎ、略してＮＦＶ）が、徐々に世間の注目を集めるようになった。ＮＦＶシステムにおいて、ＶＮＦのインスタンスが、仮想化ネットワーク機能（英語表記：ｖｉｒｔｕａｌｉｚｅｄ  ｎｅｔｗｏｒｋ  ｆｕｎｃｔｉｏｎ、略してＶＮＦ）のインスタンス化（英語表記：ｉｎｓｔａｎｔｉａｔｉｏｎ）を実行することにより、汎用フィジカルデバイス上で動作することができ、これにより、ネットワークにおける専用ネットワーク要素デバイスの機能が、汎用フィジカルデバイスを用いることにより、実装される。
【０００３】
従来技術において、１つのＮＦＶシステムは、ネットワーク機能仮想化オーケストレータ（英語表記：ｎｅｔｗｏｒｋ  ｆｕｎｃｔｉｏｎ  ｖｉｒｔｕａｌｉｚａｔｉｏｎ  ｏｒｃｈｅｓｔｒａｔｏｒ、略してＮＦＶＯ）のような機能ノードと、少なくとも１つの仮想化ネットワーク機能マネージャ（英語表記：ｖｉｒｔｕａｌｉｚｅｄ  ｎｅｔｗｏｒｋ  ｆｕｎｃｔｉｏｎ  ｍａｎａｇｅｒ、ＶＮＦＭ）とを含み得る。各ＶＮＦＭとそのＮＦＶシステムにおけるＮＦＶＯとの間には、通信インターフェースが存在する。ＮＦＶシステムにおけるＶＮＦＭが該ＮＦＶシステムにおける別のＶＮＦＭと通信する必要があるとき、該ＶＮＦＭは、送信されるべきデータをＮＦＶＯに送信してよく、該ＮＦＶＯは、その送信されるべきデータをその別のＶＮＦＭに転送し、すなわち、ＮＦＶＯは、２つ又はそれより多いＶＮＦＭの間の通信の完了を補助する役割を果たす。
【０００４】
ＮＦＶシステムにおいて、ＶＮＦＭ間の通信の完了はＮＦＶＯの支援を必要としているので、ＶＮＦＭ間の通信の効率が比較的に低い。
【発明の概要】
【０００５】
本発明は、ＶＮＦＭ間のインターフェースを確立するための方法及び装置、並びにシステムを提供し、これにより、ＶＮＦＭ間の通信の効率をある程度まで向上させる。
【０００６】
前述の目的を達成するために、以下の技術的解決手段が本発明に採用される。
【０００７】
第１の態様によると、本発明は、ＶＮＦＭ間のインターフェースを確立するための方法を提供し、該方法は、第２ＶＮＦＭにより送信されたインターフェース確立要求メッセージを第１ＶＮＦＭにより受信する段階であって、インターフェース確立要求メッセージは、第１ＶＮＦＭと第２ＶＮＦＭとの間の通信インターフェースを確立するよう要求するために用いられる、段階と、第１ＶＮＦＭにより、インターフェース確立要求メッセージと、第１ＶＮＦＭのインターフェース確立ポリシーとに従って、通信インターフェースの確立を許可するかを決定する段階と、第１ＶＮＦＭが通信インターフェースの確立を許可すると決定したとき、第１ＶＮＦＭにより、インターフェース確立応答メッセージを第２ＶＮＦＭに送信する段階であって、インターフェース確立応答メッセージは、通信インターフェースが問題なく確立されることを示すために用いられる、段階とを備える。
【０００８】
第１の態様の第１の可能な実装方式において、第１ＶＮＦＭのインターフェース確立ポリシーは、確立されることが第１ＶＮＦＭにより許可される通信インターフェースの最大数量を含み、第１ＶＮＦＭにより、インターフェース確立要求メッセージと、第１ＶＮＦＭのインターフェース確立ポリシーとに従って、通信インターフェースの確立を許可するかを決定する段階は、第１ＶＮＦＭにより、インターフェース確立要求メッセージに従って、第１ＶＮＦＭの確立されている通信インターフェースの数量が、確立されることが第１ＶＮＦＭにより許可される通信インターフェースの最大数量より少ないかを決定する段階と、第１ＶＮＦＭの確立されている通信インターフェースの数量が確立されることが第１ＶＮＦＭにより許可される通信インターフェースの最大数量より少ないとき、第１ＶＮＦＭにより、通信インターフェースの確立を許可すると決定する段階、又は、第１ＶＮＦＭの確立されている通信インターフェースの数量が確立されることが第１ＶＮＦＭにより許可される通信インターフェースの最大数量に等しいとき、第１ＶＮＦＭにより、通信インターフェースの確立を許可しないと決定する段階とを含む。
【０００９】
第１の態様の第１の可能な実装方式に関連して、第２の可能な実装方式において、第１ＶＮＦＭのインターフェース確立ポリシーは、ＶＮＦＭ間の優先度関係をさらに含み、該優先度関係は、第１ＶＮＦＭにより、第１ＶＮＦＭと別のＶＮＦＭとの間の通信インターフェースを確立するために用いられ、第１ＶＮＦＭの確立されている通信インターフェースの数量が確立されることが第１ＶＮＦＭにより許可される通信インターフェースの最大数量に等しいとき、第１ＶＮＦＭにより、通信インターフェースの確立を許可しないと決定する段階は、第１ＶＮＦＭの確立されている通信インターフェースの数量が確立されることが第１ＶＮＦＭにより許可される通信インターフェースの最大数量に等しいとき、第１ＶＮＦＭにより、第２ＶＮＦＭの優先度を取得する段階と、第１ＶＮＦＭにより、第２ＶＮＦＭの優先度に従って、優先度関係における第２ＶＮＦＭに対応する優先度を決定する段階と、第１ＶＮＦＭにより、優先度関係における第２ＶＮＦＭに対応する優先度が優先度関係における第３ＶＮＦＭに対応する優先度より高いかを決定する段階であって、第３ＶＮＦＭは、優先度関係において最も低い優先度に対応し、第１ＶＮＦＭと通信インターフェースを確立している複数のＶＮＦＭのうちのＶＮＦＭである、段階と、優先度関係における第２ＶＮＦＭに対応する優先度が、優先度関係における第３ＶＮＦＭに対応する優先度より高いと第１ＶＮＦＭが決定したとき、第１ＶＮＦＭにより、通信インターフェースの確立を許可すると決定する段階、又は、優先度関係における第２ＶＮＦＭに対応する優先度が、優先度関係における第３ＶＮＦＭに対応する優先度より低いと第１ＶＮＦＭが決定したとき、第１ＶＮＦＭにより、通信インターフェースの確立を許可しないと決定する段階とを含む。
【００１０】
第１の態様に関連して、第３の可能な実装方式において、第１ＶＮＦＭのインターフェース確立ポリシーは、確立されることが第１ＶＮＦＭにより許可される通信インターフェースの最大数量と第１リストとを含み、第１リストは、ブラックリスト又はホワイトリストのうちの少なくとも１つを含み、ブラックリストは、第１ＶＮＦＭとインターフェースを確立することが第１ＶＮＦＭにより許可されないＶＮＦＭのアイデンティティを含み、ホワイトリストは、第１ＶＮＦＭとインターフェースを確立することが第１ＶＮＦＭにより許可されるＶＮＦＭのアイデンティティを含み、インターフェース確立要求メッセージは、第２ＶＮＦＭのアイデンティティを保持し、第１ＶＮＦＭにより、インターフェース確立要求メッセージと第１ＶＮＦＭのインターフェース確立ポリシーとに従って、通信インターフェースの確立を許可するかを決定する段階は、第１ＶＮＦＭにより、インターフェース確立要求メッセージにおいて保持される第２ＶＮＦＭのアイデンティティを取得する段階と、第１リストが少なくともホワイトリストを含み、ホワイトリストが第２ＶＮＦＭのアイデンティティを含むとき、第１ＶＮＦＭにより、通信インターフェースの確立を許可すると決定する段階、又は、第１リストが少なくともブラックリストを含み、ブラックリストが第２ＶＮＦＭのアイデンティティを含むとき、第１ＶＮＦＭにより、通信インターフェースの確立を許可しないと決定する段階、又は、第１リストが第２ＶＮＦＭのアイデンティティを含まないとき、第１ＶＮＦＭにより、第１ＶＮＦＭの確立されている通信インターフェースの数量が、確立されることが第１ＶＮＦＭにより許可される通信インターフェースの最大数量より少ないかを決定する段階と、第１ＶＮＦＭの確立されている通信インターフェースの数量が、確立されることが第１ＶＮＦＭにより許可される通信インターフェースの最大数量より少ないとき、第１ＶＮＦＭにより、通信インターフェースの確立を許可すると決定する段階、又は、第１ＶＮＦＭの確立されている通信インターフェースの数量が、確立されることが第１ＶＮＦＭにより許可される通信インターフェースの最大数量に等しいとき、第１ＶＮＦＭにより、通信インターフェースの確立を許可しないと決定する段階とを含む。
【００１１】
第１の態様の第３の可能な実装方式に関連して、第４の可能な実装方式において、第１ＶＮＦＭのインターフェース確立ポリシーは、ＶＮＦＭ間の優先度関係をさらに含み、該優先度関係は、第１ＶＮＦMにより、第１ＶＮＦＭと別のＶＮＦＭとの間の通信インターフェースを確立するために用いられ、第１ＶＮＦＭの確立されている通信インターフェースの数量が確立されることが第１ＶＮＦＭにより許可される通信インターフェースの最大数量に等しいとき、第１ＶＮＦＭにより、通信インターフェースの確立を許可しないと決定する段階は、第１ＶＮＦＭの確立されている通信インターフェースの数量が確立されることが第１ＶＮＦＭにより許可される通信インターフェースの最大数量に等しいとき、第１ＶＮＦＭにより、第２ＶＮＦＭの優先度を取得する段階と、第１ＶＮＦＭにより、第２ＶＮＦＭの優先度に従って、優先度関係における第２ＶＮＦＭに対応する優先度を決定する段階と、第１ＶＮＦＭにより、優先度関係における第２ＶＮＦＭに対応する優先度が優先度関係における第４ＶＮＦＭに対応する優先度より高いかを決定する段階であって、第１リストが少なくともホワイトリストを含み、第４ＶＮＦＭが優先度関係において最も低い優先度に対応し、アイデンティティがホワイトリストに存在せずに第１ＶＮＦＭと通信インターフェースを確立している複数のＶＮＦＭのうちのＶＮＦＭであるとき、又は、第１リストがホワイトリストを含まず、第４ＶＮＦＭが優先度関係において最も低い優先度に対応し、第１ＶＮＦＭと通信インターフェースを確立している複数のＶＮＦＭのうちのＶＮＦＭであるとき、及び、優先度関係における第２ＶＮＦＭに対応する優先度が優先度関係における第４ＶＮＦＭに対応する優先度より高いと第１ＶＮＦＭが決定したとき、第１ＶＮＦＭにより、通信インターフェースの確立を許可すると決定する段階、又は、優先度関係における第２ＶＮＦＭに対応する優先度が優先度関係における第４ＶＮＦＭに対応する優先度より低いと第１ＶＮＦＭが決定したとき、第１ＶＮＦＭにより、通信インターフェースの確立を許可しないと決定する段階とを含む。
【００１２】
第１の態様の第２の可能な実装方式又は第１の態様の第４の可能な実装方式に関連して、第５の可能な実装方式において、第１ＶＮＦＭにより、第２ＶＮＦＭの優先度を取得する段階は、第１ＶＮＦＭにより、インターフェース確立要求メッセージにおいて保持される第２ＶＮＦＭの優先度を取得する段階、又は、第１ＶＮＦＭにより、第１ＶＮＦＭにおいて格納されている第２ＶＮＦＭの優先度を取得する段階を含む。
【００１３】
第１の態様の第３の可能な実装方式又は第１の態様の第４の可能な実装方式に関連して、第６の可能な実装方式において、第１ＶＮＦＭにより、第２ＶＮＦＭのインターフェース確立応答メッセージを送信する段階の後に、方法は、第１ＶＮＦＭにより、更新されたブラックリストを取得する段階と、更新されたブラックリストが第２ＶＮＦＭのアイデンティティを含むと第１ＶＮＦＭが決定したとき、第１ＶＮＦＭにより、通信インターフェースを切断する段階とをさらに備える。
【００１４】
第１の態様又は第１の態様の第１の可能な実装方式から第１の態様の第５の可能な実装方式のうちの何れか１つに関連して、第７の可能な実装方式において、第１ＶＮＦＭにより、インターフェース確立応答メッセージを第２ＶＮＦＭに送信する段階の後に、方法は、第２ＶＮＦＭにより送信されたインターフェース切断要求メッセージを第１ＶＮＦＭにより受信する段階であって、インターフェース切断要求メッセージは、通信インターフェースを切断するよう第１ＶＮＦＭに命令するために用いられる、段階と、第１ＶＮＦＭにより、インターフェース切断要求メッセージに従って、通信インターフェースを切断する段階とをさらに備える。
【００１５】
第１の態様又は第１の態様の第１の可能な実装方式から第１の態様の第５の可能な実装方式のうちの何れか１つに関連して、第８の可能な実装方式において、第１ＶＮＦＭにより、インターフェース確立要求メッセージと、第１ＶＮＦＭのインターフェース確立ポリシーとに従って、通信インターフェースの確立を許可するかを決定する段階の後に、方法は、通信インターフェースの確立を許可しないと第１ＶＮＦＭが決定したとき、第１ＶＮＦＭにより、インターフェース確立拒否メッセージを第２ＶＮＦＭに送信する段階であって、インターフェース確立拒否メッセージは、通信インターフェースの確立が失敗したことを示すために用いられる、段階をさらに備える。
【００１６】
第２の態様によると、本発明は、ＶＮＦＭ間のインターフェースを確立するための方法を提供し、該方法は、第２ＶＮＦＭにより、インターフェース確立要求メッセージを第１ＶＮＦＭに送信する段階であって、インターフェース確立要求メッセージは、第１ＶＮＦＭと第２ＶＮＦＭとの間の通信インターフェースを確立するよう要求するために用いられる、段階と、第１ＶＮＦＭにより送信されたインターフェース確立応答メッセージを第２ＶＮＦＭにより受信する段階であって、インターフェース確立応答メッセージは、通信インターフェースが問題なく確立されたことを示すために用いられる、段階とを備える。
【００１７】
第２の態様の第１の可能な実装方式において、第２ＶＮＦＭにより、インターフェース確立要求メッセージを第１ＶＮＦＭに送信する段階の前に、方法は、第２ＶＮＦＭにより、第１ＶＮＦＭの属性を取得する段階であって、第１ＶＮＦＭの属性は、少なくとも第１ＶＮＦＭのアイデンティティを含み、第１ＶＮＦＭの属性は、第２ＶＮＦＭにより、インターフェース確立要求メッセージを第１ＶＮＦＭに送信するために用いられる、段階をさらに備える。
【００１８】
第２の態様の第１の可能な実装方式に関連して、第２の可能な実装方式において、第２ＶＮＦＭにより、第１ＶＮＦＭの属性を取得する段階は、第２ＶＮＦＭにより、第２ＶＮＦＭにおいて格納される第１ＶＮＦＭの属性を取得する段階を含む。
【００１９】
第２の態様の第１の可能な実装方式に関連して、第３の可能な実装方式において、第２ＶＮＦＭにより、第１ＶＮＦＭの属性を取得する段階は、第２ＶＮＦＭにより、アイデンティティ要求メッセージをブロードキャストする段階であって、アイデンティティ要求メッセージは、インターフェース確立要求メッセージが送信されるべきＶＮＦＭの属性を要求するために用いられる、段階と、第２ＶＮＦＭにより、第１ＶＮＦＭにより送信されたアイデンティティ応答メッセージを受信する段階であって、アイデンティティ応答メッセージは、第１ＶＮＦＭの属性を保持する、段階とを含む。
【００２０】
第３の態様によると、本発明は、装置を提供し、該装置は、第２ＶＮＦＭにより送信されたインターフェース確立要求メッセージを受信するよう構成される受信ユニットであって、インターフェース確立要求メッセージは、第１ＶＮＦＭと第２ＶＮＦＭとの間の通信インターフェースを確立するよう要求するために用いられる、受信ユニットと、受信ユニットにより受信されたインターフェース確立要求メッセージと第１ＶＮＦＭのインターフェース確立ポリシーとに従って、通信インターフェースの確立を許可するかを決定するよう構成される決定ユニットと、決定ユニットが通信インターフェースの確立を許可すると決定したとき、インターフェース確立応答メッセージを第２ＶＮＦＭに送信するよう構成される送信ユニットであって、インターフェース確立応答メッセージは、通信インターフェースが問題なく確立されたことを示すために用いられる、送信ユニットとを備える。
【００２１】
第３の態様の第１の可能な実装方式において、第１ＶＮＦＭのインターフェース確立ポリシーは、確立されることが第１ＶＮＦＭにより許可される通信インターフェースの最大数量を含み、決定ユニットは、受信ユニットにより受信されたインターフェース確立要求メッセージに従って、第１ＶＮＦＭの確立されている通信インターフェースの数量が、確立されることが第１ＶＮＦＭにより許可される通信インターフェースの最大数量より少ないかを決定するよう具体的に構成され、決定ユニットは、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成され、又は、決定ユニットは、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【００２２】
第３の態様の第１の可能な実装方式に関連して、第２の可能な実装方式において、第１ＶＮＦＭのインターフェース確立ポリシーは、ＶＮＦＭ間の優先度関係をさらに含み、優先度関係は、第１ＶＮＦＭにより、第１ＶＮＦＭと別のＶＮＦＭとの間の通信インターフェースを確立するために用いられ、決定ユニットは、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成され、決定ユニットは、第２ＶＮＦＭの優先度に従って、優先度関係における第２ＶＮＦＭに対応する優先度を決定するよう具体的に構成され、決定ユニットは、優先度関係における第２ＶＮＦＭに対応する優先度が優先度関係における第３ＶＮＦＭに対応する優先度より高いかを決定するよう具体的に構成され、ここで、第３ＶＮＦＭは、優先度関係において最も低い優先度に対応し、第１ＶＮＦＭと通信インターフェースを確立している複数のＶＮＦＭのうちのＶＮＦＭであり、決定ユニットは、優先度関係における第２ＶＮＦＭに対応する優先度が、優先度関係における第３ＶＮＦＭに対応する優先度より高いとき、通信インターフェースの確立を許可すると決定するよう具体的に構成され、又は、決定ユニットは、優先度関係における第２ＶＮＦＭに対応する優先度が、優先度関係における第３ＶＮＦＭに対応する優先度より低いとき、通信インターフェース確立を許可しないと決定するよう具体的に構成される。
【００２３】
第３の態様に関連して、第３の可能な実装方式において、第１ＶＮＦＭのインターフェース確立ポリシーは、確立されることが第１ＶＮＦＭにより許可される通信インターフェースの最大数量と第１リストとを含み、第１リストは、ブラックリスト又はホワイトリストのうちの少なくとも１つを含み、ブラックリストは、第１ＶＮＦＭとインターフェースを確立することが第１ＶＮＦＭにより許可されないＶＮＦＭのアイデンティティを含み、ホワイトリストは、第１ＶＮＦＭとインターフェースを確立することが第１ＶＮＦＭにより許可されるＶＮＦＭのアイデンティティを含み、インターフェース確立要求メッセージは、第２ＶＮＦＭのアイデンティティを保持し、決定ユニットは、インターフェース確立要求メッセージにおいて保持される第２ＶＮＦＭのアイデンティティを取得するよう具体的に構成され、決定ユニットは、第１リストが少なくともホワイトリストを含み、ホワイトリストが第２ＶＮＦＭのアイデンティティを含むとき、通信インターフェースの確立を許可すると決定するよう具体的に構成され、又は、決定ユニットは、第１リストが少なくともブラックリストを含み、ブラックリストが第２ＶＮＦＭのアイデンティティを含むとき、通信インターフェースの確立を許可しないと決定するよう具体的に構成され、又は、決定ユニットは、第１リストが第２ＶＮＦＭのアイデンティティを含まないとき、第１ＶＮＦＭの確立されている通信インターフェースの数量が、確立されることが第１ＶＮＦＭにより許可される通信インターフェースの最大数量より少ないかを決定するよう具体的に構成され、決定ユニットは、第１ＶＮＦＭの確立通信インターフェースの数量が、確立されることが第１ＶＮＦＭにより許可される通信インターフェースの最大数量より少ないとき、通信インターフェースの確立を許可すると決定するよう具体的に構成され、又は、決定ユニットは、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【００２４】
第３の態様の第３の可能な実装方式に関連して、第４の可能な実装方式において、第１ＶＮＦＭのインターフェース確立ポリシーは、ＶＮＦＭ間の優先度関係をさらに含み、該優先度関係は、第１ＶＮＦＭにより、第１ＶＮＦＭと別のＶＮＦＭとの間の通信インターフェースを確立するために用いられ、決定ユニットは、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成され、決定ユニットは、第２ＶＮＦＭの優先度に従って、優先度関係における第２ＶＮＦＭに対応する優先度を決定するよう具体的に構成され、決定ユニットは、優先度関係における第２ＶＮＦＭに対応する優先度が、優先度関係における第４ＶＮＦＭに対応する優先度より高いかを決定するよう具体的に構成され、ここで、第１リストが少なくともホワイトリストを含むとき、第４ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭであり、又は、第１リストがホワイトリストを含まないとき、第４ＶＮＦＭは、優先度関係において最も低い優先度に対応し、第１ＶＮＦＭと通信インターフェースを確立している複数のＶＮＦＭのうちのＶＮＦＭであり、決定ユニットは、優先度関係における第２ＶＮＦＭに対応する優先度が、優先度関係における第４ＶＮＦＭに対応する優先度より高いとき、通信インターフェースの確立を許可すると決定するよう具体的に構成され、又は、決定ユニットは、優先度関係における第２ＶＮＦＭの優先度が優先度関係における第４ＶＮＦＭに対応する優先度より低いとき、通信インターフェースの確立を許可しないと決定するよう具体的に構成される。
【００２５】
第３の態様の第２の可能な実装方式又は第３の態様の第４の可能な実装方式に関連して、第５の可能な実装方式において、決定ユニットは、インターフェース確立要求メッセージにおいて保持される第２ＶＮＦＭの優先度を取得するよう具体的に構成され、又は、決定ユニットは、第１ＶＮＦＭにおいて格納される第２ＶＮＦＭの優先度を取得するよう具体的に構成される。
【００２６】
第３の態様の第３の可能な実装方式又は第３の態様の第４の可能な実装方式に関連して、第６の可能な実装方式において、装置は、取得ユニットと切断ユニットとをさらに備え、ここで、取得ユニットは、送信ユニットが第２ＶＮＦＭにインターフェース確立応答メッセージを送信した後に、更新されたブラックリストを取得するよう構成され、切断ユニットは、取得ユニットにより取得された更新されたブラックリストが第２ＶＮＦＭのアイデンティティを含むとき、通信インターフェースを切断するよう構成される。
【００２７】
第３の態様又は第３の態様の第１の可能な実装方式から第３の態様の第５の可能な実装方式のうちの何れか１つに関連して、第７の可能な実装方式において、装置は、切断ユニットをさらに備え、ここで、受信ユニットは、送信ユニットが第２ＶＮＦＭにインターフェース確立応答メッセージを送信した後に、第２ＶＮＦＭにより送信されたインターフェース切断要求メッセージを受信するようさらに構成され、ここで、インターフェース切断要求メッセージは、通信インターフェースを切断するよう切断ユニットに命令するために用いられ、切断ユニットは、受信ユニットにより受信されたインターフェース切断要求メッセージに従って、通信インターフェースを切断するよう構成される。
【００２８】
第３の態様又は第３の態様の第１の可能な実装方式から第３の態様の第５の可能な実装方式のうちの何れか１つに関連して、第８の可能な実装方式において、送信ユニットは、決定ユニットが通信インターフェースの確立を許可しないと決定したとき、第２ＶＮＦＭにインターフェース確立拒否メッセージを送信するようさらに構成され、こｋどえ、インターフェース確立拒否メッセージは、通信インターフェースの確立が失敗したことを示すために用いられる。
【００２９】
第４の態様によると、本発明は、装置を提供し、該装置は、第１ＶＮＦＭにインターフェース確立要求メッセージを送信するよう構成される送信ユニットであって、インターフェース確立要求メッセージは、第１ＶＮＦＭと第２ＶＮＦＭとの間の通信インターフェースを確立するよう要求するために用いられる、送信ユニットと、第１ＶＮＦＭにより送信されたインターフェース確立応答メッセージを受信するよう構成される受信ユニットであって、インターフェース確立応答メッセージは、通信インターフェースが問題なく確立されたことを示すために用いられる、受信ユニットとを備える。
【００３０】
第４の態様の第１の可能な実装方式において、装置は、取得ユニットをさらに備え、取得ユニットは、送信ユニットが第１ＶＮＦＭにインターフェース確立要求メッセージを送信する前に、第１ＶＮＦＭの属性を取得するよう構成され、第１ＶＮＦＭの属性は、少なくとも第１ＶＮＦＭのアイデンティティを含み、第１ＶＮＦＭの属性は、送信ユニットにより、インターフェース確立要求メッセージを第１ＶＮＦＭに送信するために用いられる。
【００３１】
第４の態様の第１の可能な実装方式に関連して、第２の可能な実装方式において、取得ユニットは、第２ＶＮＦＭにおいて格納される第１ＶＮＦＭの属性を取得するよう具体的に構成される。
【００３２】
第４の態様の第１の可能な実装方式に関連して、第３の可能な実装方式において、取得ユニットは、ブロードキャストモジュールと受信モジュールとを有し、ブロードキャストモジュールは、アイデンティティ要求メッセージをブロードキャストするよう構成され、ここで、アイデンティティ要求メッセージは、インターフェース確立要求メッセージが送信されるべきＶＮＦＭの属性を要求するために用いられ、受信モジュールは、第１ＶＮＦＭにより送信されたアイデンティティ応答メッセージを受信するよう構成され、ここで、アイデンティティ応答メッセージは、第１ＶＮＦＭの属性を保持する。
【００３３】
第５の態様によると、本発明は、装置を提供し、該装置は、第２ＶＮＦＭにより送信されたインターフェース確立要求メッセージを受信するよう構成されるプロセッサであって、インターフェース確立要求メッセージは、第１ＶＮＦＭと第２ＶＮＦＭとの間の通信インターフェースを確立するよう要求するために用いられる、プロセッサを備え、プロセッサは、インターフェース確立要求メッセージと第１ＶＮＦＭのインターフェース確立ポリシーとに従って、通信インターフェースの確立を許可するかを決定するようさらに構成され、プロセッサは、通信インターフェースの確立を許可すると決定したとき、第２ＶＮＦＭにインターフェース確立応答メッセージを送信するようさらに構成され、ここで、インターフェース確立応答メッセージは、通信インターフェースが問題なく確立されたことを示すために用いられる。
【００３４】
第５の態様の第１の可能な実装方式において、第１ＶＮＦＭのインターフェース確立ポリシーは、確立されることが第１ＶＮＦＭにより許可される通信インターフェースの最大数量を含み、プロセッサは、インターフェース確立要求メッセージに従って、第１ＶＮＦＭの確立されている通信インターフェースの数量が、確立されることが第１ＶＮＦＭにより許可される通信インターフェースの最大数量より少ないかを決定するよう具体的に構成され、プロセッサは、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成され、又は、プロセッサは、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【００３５】
第５の態様の第１の可能な実装方式に関連して、第２の可能な実装方式において、第１ＶＮＦＭのインターフェース確立ポリシーは、ＶＮＦＭ間の優先度関係をさらに含み、該優先度関係は、第１ＶＮＦＭにより、第１ＶＮＦＭと別のＶＮＦＭとの間の通信インターフェースを確立するために用いられ、プロセッサは、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成され、プロセッサは、第２ＶＮＦＭの優先度に従って、優先度関係における第２ＶＮＦＭに対応する優先度を決定するよう具体的に構成され、プロセッサは、優先度関係における第２ＶＮＦＭに対応する優先度が優先度関係における第３ＶＮＦＭに対応する優先度より高いかを決定するよう具体的に構成され、ここで、第３ＶＮＦＭは、優先度関係において最も低い優先度に対応し、第１ＶＮＦＭと通信インターフェースを確立している複数のＶＮＦＭのうちのＶＮＦＭであり、プロセッサは、優先度関係における第２ＶＮＦＭに対応する優先度が優先度関係における第３ＶＮＦＭに対応する優先度より高いとき、通信インターフェースの確立を許可すると決定するよう具体的に構成され、又は、プロセッサは、優先度関係における第２ＶＮＦＭに対応する優先度が優先度関係における第３ＶＮＦＭに対応する優先度より低いとき、通信インターフェースの確立を許可しないと決定するよう具体的に構成される。
【００３６】
第５の態様に関連して、第３の可能な実装方式において、第１ＶＮＦＭのインターフェース確立ポリシーは、確立されることが第１ＶＮＦＭにより許可される通信インターフェースの最大数量と第１リストとを含み、第１リストは、ブラックリスト又はホワイトリストのうちの少なくとも１つを含み、ブラックリストは、第１ＶＮＦＭとインターフェースを確立することが第１ＶＮＦＭにより許可されないＶＮＦＭのアイデンティティを含み、ホワイトリストは、第１ＶＮＦＭとインターフェースを確立することが第１ＶＮＦＭにより許可されるＶＮＦＭのアイデンティティを含み、インターフェース確立要求メッセージは、第２ＶＮＦＭのアイデンティティを保持し、プロセッサは、インターフェース確立要求メッセージにおいて保持される第２ＶＮＦＭのアイデンティティを取得するよう具体的に構成され、プロセッサは、第１リストが少なくともホワイトリストを含み、ホワイトリストは、第２ＶＮＦＭのアイデンティティを含むとき、通信インターフェースの確立を許可すると決定するよう具体的に構成され、又は、プロセッサは、第１リストが少なくともブラックリストを含み、ブラックリストが第２ＶＮＦＭのアイデンティティを含むとき、通信インターフェースの確立を許可しないと決定するよう具体的に構成され、又は、プロセッサは、第１リストが第２ＶＮＦＭのアイデンティティを含まないとき、第１ＶＮＦＭの確立されている通信インターフェースの数量が、確立されることが第１ＶＮＦＭにより許可される通信インターフェースの最大数量より少ないかを決定するよう具体的に構成され、プロセッサは、第１リストが第２ＶＮＦＭのアイデンティティを含まないとき、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成され、又は、プロセッサは、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【００３７】
第５の態様の第３の可能な実装方式に関連して、第４の可能な実装方式において、第１ＶＮＦＭのインターフェース確立ポリシーは、ＶＮＦＭ間の優先度関係をさらに含み、該優先度関係は、第１ＶＮＦＭにより、第１ＶＮＦＭと別のＶＮＦＭとの間の通信インターフェースを確立するために用いられ、プロセッサは、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成され、プロセッサは、第２ＶＮＦＭの優先度に従って、優先度関係における第２ＶＮＦＭに対応する優先度を決定するよう具体的に構成され、プロセッサは、優先度関係における第２ＶＮＦＭに対応する優先度が優先度関係における第４ＶＮＦＭに対応する優先度より高いかを決定するよう具体的に構成され、ここで、第１リストが少なくともホワイトリストを含むとき、第４ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭであり、又は、第１リストが少なくともホワイトリストを含まないとき、第４ＶＮＦＭは、優先度関係において最も低い優先度に対応し、第１ＶＮＦＭと通信インターフェースを確立している複数のＶＮＦＭのうちのＶＮＦＭであり、プロセッサは、優先度関係における第２ＶＮＦＭに対応する優先度が優先度関係における第４ＶＮＦＭに対応する優先度より高いとき、通信インターフェースの確立を許可すると決定するよう具体的に構成され、又は、プロセッサは、優先度関係における第２ＶＮＦＭに対応する優先度が優先度関係における第４ＶＮＦＭに対応する優先度より低いとき、通信インターフェースの確立を許可しないと決定するよう具体的に構成される。
【００３８】
第５の態様の第２の可能な実装方式又は第５の態様の第４の可能な実装方式に関連して、第５の可能な実装方式において、プロセッサは、インターフェース確立要求メッセージにおいて保持される第２ＶＮＦＭの優先度を取得するよう具体的に構成され、又は、プロセッサは、第１ＶＮＦＭにおいて格納される第２ＶＮＦＭの優先度を取得するよう具体的に構成される。
【００３９】
第５の態様の第３の可能な実装方式又は第５の態様の第４の可能な実装方式に関連して、第６の可能な実装方式において、プロセッサは、第２ＶＮＦＭにインターフェース確立応答メッセージを送信した後に更新されたブラックリストを取得するようさらに構成され、プロセッサは、更新されたブラックリストが第２ＶＮＦＭのアイデンティティを含むと決定したとき、通信インターフェースを切断するようさらに構成される。
【００４０】
第５の態様又は第５の態様の第１の可能な実装方式から第５の態様の第５の可能な実装方式のうちの何れか１つに関連して、第７の可能な実装方式において、プロセッサは、第２ＶＮＦＭにインターフェース確立応答メッセージを送信した後に、第２ＶＮＦＭにより送信されたインターフェース切断要求メッセージを受信するようさらに構成され、ここで、インターフェース切断要求メッセージは、通信インターフェースを切断するようプロセッサに命令するために用いられ、プロセッサは、インターフェース切断要求メッセージに従って、通信インターフェースを切断するようさらに構成される。
【００４１】
第５の態様又は第５の態様の第１の可能な実装方式から第５の態様の第５の可能な実装方式のうちの何れか１つに関連して、第８の可能な実装方式において、プロセッサは、通信インターフェースの確立を許可しないと決定したとき、第２ＶＮＦＭにインターフェース確立拒否メッセージを送信するようさらに構成され、ここで、インターフェース確立拒否メッセージは、通信インターフェースの確立が失敗したことを示すために用いられる。
【００４２】
第６の態様によると、本発明は、装置を提供し、該装置は、第１ＶＮＦＭにインターフェース確立要求メッセージを送信するよう構成されるプロセッサを備え、ここで、インターフェース確立要求メッセージは、第１ＶＮＦＭと第２ＶＮＦＭとの間の通信インターフェースを確立するよう要求するために用いられ、プロセッサは、第１ＶＮＦＭにより送信されたインターフェース確立応答メッセージを受信するようさらに構成され、ここで、インターフェース確立応答メッセージは、通信インターフェースが問題なく確立されたことを示すために用いられる。
【００４３】
第６の態様の第１の可能な実装方式において、プロセッサは、第１ＶＮＦＭにインターフェース確立要求メッセージを送信する前に、第１ＶＮＦＭの属性を取得するよう構成され、ここで、第１ＶＮＦＭの属性は、少なくとも第１ＶＮＦＭのアイデンティティを含み、第１ＶＮＦＭの属性は、第１ＶＮＦＭにインターフェース確立要求メッセージを送信するために用いられる。
【００４４】
第６の態様の第１の可能な実装方式に関連して、第２の可能な実装方式において、プロセッサは、第２ＶＮＦＭにおいて格納される第１ＶＮＦＭの属性を取得するよう具体的に構成される。
【００４５】
第６の態様の第１の可能な実装方式に関連して、第３の可能な実装方式において、プロセッサは、アイデンティティ要求メッセージをブロードキャストするよう具体的に構成され、ここで、アイデンティティ要求メッセージは、インターフェース確立要求メッセージが送信されるべきＶＮＦＭの属性を要求するために用いられ、プロセッサは、第１ＶＮＦＭにより送信されたアイデンティティ応答メッセージを受信するよう具体的に構成され、ここで、アイデンティティ応答メッセージは、第１ＶＮＦＭの属性を保持する。
【００４６】
第７の態様によると、本発明は、通信システムを提供し、該通信システムは、第３の態様又は第３の態様の複数の実装方式のうちの何れか１つに係る装置及び第４の態様又は第４の態様の複数の実装方式のうちの何れか１つに係る装置、又は、第５の態様又は第５の態様の複数の実装方式のうちの何れか１つに係る装置及び第６の態様又は第６の態様の複数の実装方式のうちの何れか１つに係る装置を備える。
【００４７】
本発明は、ＶＮＦＭ間のインターフェースを確立するための方法及び装置、並びにシステムを提供する。該方法は、第２ＶＮＦＭにより送信されたインターフェース確立要求メッセージを第１ＶＮＦＭにより受信する段階と、インターフェース確立要求メッセージと第１ＶＮＦＭのインターフェース確立ポリシーとに従って、通信インターフェースの確立を許可するかを決定する段階と、第１ＶＮＦＭが通信インターフェースの確立を許可すると決定したとき、第１ＶＮＦＭにより、インターフェース確立応答メッセージを第２ＶＮＦＭに送信する段階であって、インターフェース確立要求メッセージは、第１ＶＮＦＭと第２ＶＮＦＭとの間の通信インターフェースを確立するよう要求されるために用いられ、インターフェース確立応答メッセージは、通信インターフェースが問題なく確立されたことを示すために用いられる、段階とを備え得る。本発明において提供されるＶＮＦＭ間のインターフェースを確立するための方法及び装置、並びシステムによると、第２ＶＮＦＭが第１ＶＮＦＭにインターフェース確立要求メッセージを送信した後に、第１ＶＮＦＭと第２ＶＮＦＭとの間の通信インターフェースが、第１ＶＮＦＭからの許可の下、確立されることができ、これにより、第１ＶＮＦＭ及び第２ＶＮＦＭは、通信インターフェースを用いて直接通信することができ、それにより、第１ＶＮＦＭと第２ＶＮＦＭとの間の通信の効率を向上させる。
【図面の簡単な説明】
【００４８】
本発明の実施形態又は従来技術における技術的解決手段をより明確に説明するために、以下では、実施形態又は従来技術を説明するために必要とされる添付の図面を簡潔に説明する。明らかに、以下の説明における添付の図面は、本発明のいくつかの実施形態を示すに過ぎず、当業者は、創造努力がなくとも、これらの添付の図面から他の図面をさらに導き得る。
【００４９】
【図１】ＮＦＶシステムのブロック図である。
【００５０】
【図２】本発明の実施形態に係る、ＶＮＦＭ間のインターフェースを確立するための方法のフローチャートである。
【００５１】
【図３】本発明の実施形態に係る、ＶＮＦＭ間のインターフェースを確立するための方法のフローチャートである。
【００５２】
【図４】本発明の実施形態に係る、ＶＮＦＭ間のインターフェースを確立するための方法の相互作用図である。
【００５３】
【図５】本発明の実施形態に係る装置の概略構造図である。
【００５４】
【図６】本発明の実施形態に係る装置の概略構造図である。
【００５５】
【図７】本発明の実施形態に係るの装置の概略構造図である。
【００５６】
【図８】本発明の実施形態に係る装置の概略構造図である。
【００５７】
【図９】本発明の実施形態に係る装置の概略構造図である。
【００５８】
【図１０】本発明の実施形態に係る装置の概略構造図である。
【００５９】
【図１１】本発明の実施形態に係る装置のハードウェアの概略構造図である。
【００６０】
【図１２】本発明の実施形態に係る装置のハードウェアの概略構造図である。
【００６１】
【図１３】本発明の実施形態に係る通信システムを示す。
【発明を実施するための形態】
【００６２】
以下では、本発明の実施形態における添付の図面に関連して本発明の実施形態における技術的解決手段を明確に、かつ、完全に説明する。明らかに、記載されている実施形態は本発明の実施形態のいくつかに過ぎず、全てではない。当業者により、本発明の実施形態に基づいて創造努力なく得られた他の全ての実施形態は、本発明の保護範囲内に含まれるものとする。
【００６３】
図１に示されているように、図１は、ＮＦＶシステムのブロック図である。ＮＦＶシステムは、ＮＦＶＯと、ＶＮＦＭと、仮想化インフラストラクチャマネージャ（英語表記：ｖｉｒｔｕａｌｉｚｅｄ  ｉｎｆｒａｓｔｒｕｃｔｕｒｅ  ｍａｎａｇｅｒ、略してＶＩＭ）と、動作支援システム（英語表記：ｏｐｅｒａｔｉｏｎｓ  ｓｕｐｐｏｒｔ  ｓｙｓｔｅｍ、略してＯＳＳ）又は業務支援システム（英語表記：ｂｕｓｉｎｅｓｓ  ｓｕｐｐｏｒｔ  ｓｙｓｔｅｍ、略してＢＳＳ）と、要素マネージャ（英語表記：ｅｌｅｍｅｎｔ  ｍａｎａｇｅｒ、略してＥＭ）と、ＶＮＦノードと、ネットワーク機能仮想化インフラストラクチャ（英語表記：ｎｅｔｗｏｒｋ  ｆｕｎｃｔｉｏｎ  ｖｉｒｔｕａｌｉｚａｔｉｏｎ  ｉｎｆｒａｓｔｒｕｃｔｕｒｅ、略してＮＦＶＩ）とを備える。
【００６４】
ＮＦＶシステムにおいて、ＮＦＶＯと、ＶＮＦＭと、ＶＩＭとは、ＮＦＶシステムの管理及びオーケストレーション（英語表記：ＮＦＶ  ｍａｎａｇｅｍｅｎｔ  ａｎｄ  ｏｒｃｈｅｓｔｒａｔｉｏｎ、略してＮＦＶ−ＭＡＮＯ）のドメインを形成する。ＮＦＶＯは、ネットワーク機能仮想化オーケストレータとも称され得る。ＯＳＳ／ＢＳＳは、ネットワークマネージャ（英語表記：ｎｅｔｗｏｒｋ  ｍａｎａｇｅｒ、略してＮＭ）と称され得る。
【００６５】
具体的には、ＮＦＶシステムにおいて少なくとも１つのＶＮＦＭが存在し、全てのＶＮＦＭがＮＦＶＯに接続される。全てのＶＮＦＭは、同一のＥＭに接続されてよく、又は、異なるＥＭにそれぞれ接続されてよい。従来技術では、ＮＦＶシステムにおいて、全てのＶＮＦＭが同一のＮＦＶＯに接続され、全てのＶＮＦＭの間の情報のやり取りがＮＦＶＯの支援の下で完了されるので、全てのＶＮＦＭの間の通信の効率が比較的に低い。
【００６６】
ＶＮＦＭ間の通信の効率は、本発明の実施形態において提供される、ＶＮＦＭ間のインターフェースを確立するための方法及び装置、並びにシステムを用いて、ある程度まで向上され得る。
【００６７】
ＮＦＶシステムにおける何れかの機能ノードは、１つのエンティティデバイス上に分散されてよく、又は、複数のエンティティデバイス上に分散されてよく、ＮＦＶシステムにおける複数の機能ノードはそれぞれ、異なるエンティティデバイス上に分散されてよく、又は、１つのエンティティデバイス上に分散されてよいことに留意すべきである。ＮＦＶシステムにおける何れかの機能ノードは、エンティティデバイスにおける論理機能モジュールであってよく、又は、複数のエンティティデバイスにより形成される論理機能モジュールであってよいことが理解され得る。
【００６８】
従って、本発明の実施形態において、１つのエンティティデバイスが、本発明の実施形態において提供される方法における全ての段階を実行し得る。又は、複数のエンティティデバイスが連携して、本発明の実施形態において提供される方法における全ての段階を実行し得る。このことは、本発明においては限定されない。
【００６９】
さらに、本発明において提供されるＶＮＦＭ間のインターフェースを確立するための方法をより明確に説明するために、以下では、実行主体又は制御対象として、論理機能モジュール（すなわち、ＮＦＶシステムにおける機能ノード）を用いて説明をする。当業者は、具体的な実装中、論理機能モジュールは、該論理機能モジュールが位置するエンティティデバイスのハードウェアリソースに依存することを理解するはずである。
【００７０】
本発明の実施形態において、ＮＦＶシステムは、ロングタームエボリューション（英語表記：ｌｏｎｇ  ｔｅｒｍ  ｅｖｏｌｕｔｉｏｎ、略してＬＴＥ）通信システムに適用され得て、ＬＴＥの進化型通信システム、例えば、ＬＴＥ−Ａ（英語全表記：ｌｏｎｇ  ｔｅｒｍ  ｅｖｏｌｕｔｉｏｎ  ａｄｖａｎｃｅｄ）システムにも適用され得て、ＷＣＤＭＡ（登録商標）及び同様のものなどの第３世代移動通信（英語表記：３ｒｄ−Ｇｅｎｅｒａｔｉｏｎ、略して３Ｇ）システムにさらに適用され得る。このことは、本発明においては限定されない。
【００７１】
［実施形態１］
本発明のこの実施形態がＶＮＦＭ間のインターフェースを確立するための方法を提供する。図２に示されているように、方法は、以下の段階を備え得る。
【００７２】
Ｓ１０１．第１ＶＮＦＭが、第２ＶＮＦＭにより送信されたインターフェース確立要求メッセージを受信し、ここで、インターフェース確立要求メッセージは、第１ＶＮＦＭと第２ＶＮＦＭとの間の通信インターフェースを確立するよう要求するために用いられる。
【００７３】
Ｓ１０２．第１ＶＮＦＭは、インターフェース確立要求メッセージと、第１ＶＮＦＭのインターフェース確立ポリシーとに従って、通信インターフェースの確立を許可するかを決定する。
【００７４】
具体的には、第１ＶＮＦＭが第２ＶＮＦＭにより送信されたインターフェース確立要求メッセージを受信したとき、第１ＶＮＦＭは、第２ＶＮＦＭが第１ＶＮＦＭと通信インターフェースを確立するよう要求することを知り得て、第１ＶＮＦＭは、インターフェース確立要求メッセージと第１ＶＮＦＭのインターフェース確立ポリシーとに従って、通信インターフェースの確立を許可するかを決定する必要がある。
【００７５】
インターフェース確立要求メッセージは、第２ＶＮＦＭの属性を含み得る。第２ＶＮＦＭの属性は、少なくとも第２ＶＮＦＭのアイデンティティを含み、又は、第２ＶＮＦＭのアイデンティティと第２ＶＮＦＭの優先度とを含む。第２ＶＮＦＭの属性は、第２ＶＮＦＭのベンダ情報、第２ＶＮＦＭのバージョン情報、及び同様のものをさらに含み得る。
【００７６】
例えば、本発明のこの実施形態において、第１ＶＮＦＭのインターフェース確立ポリシーは少なくとも、確立されることが第１ＶＮＦＭにより許可される通信インターフェースの最大数量を含む。
【００７７】
確立されることが第１ＶＮＦＭにより許可される通信インターフェースの最大数量は、第１ＶＮＦＭによって占有されるリソースを用いることにより、確立されることが許可され得る通信インターフェースの最大数量であり得て、又は、実際の工程の要求に従って設定され得る。
【００７８】
任意選択的に、第１ＶＮＦＭのインターフェース確立ポリシーは、ＶＮＦＭ間の優先度関係をさらに含み得る。優先度関係は、第１ＶＮＦＭにより、第１ＶＮＦＭと別のＶＮＦＭとの間の通信インターフェースを確立するために用いられる。
【００７９】
具体的には、第１ＶＮＦＭは、まず、別のＶＮＦＭの優先度に従って、優先度関係における別のＶＮＦＭに対応する優先度を決定し、次に、優先度関係におけるその別のＶＮＦＭに対応する優先度に従って、第１ＶＮＦＭと別のＶＮＦＭとの間の通信インターフェースの確立を許可するかを決定する。
【００８０】
ＶＮＦＭの優先度とは、ＮＦＶシステムにおいて、該ＮＦＶシステムにおける各ネットワーク要素のサービス要求に従って、ＶＮＦＭに対して構成される属性を意味し、すなわち、ＶＮＦＭの優先度は、ＶＮＦＭ自体が持つ属性である。
【００８１】
優先度関係における、ＶＮＦＭに対応する優先度とは、第１ＶＮＦＭが別のＶＮＦＭと通信インターフェースを確立するとき、第１ＶＮＦＭのサービス要求に従って、異なる優先度属性を有するＶＮＦＭに対して再定義される優先度を意味する。
【００８２】
例えば、ＮＦＶシステムにおいて、優先度が１のＶＮＦＭ、優先度が２のＶＮＦＭ、優先度が３のＶＮＦＭ、優先度が４のＶＮＦＭ、及び優先度が５のＶＮＦＭが存在し、ＶＮＦＭの優先度の高いほうから降順に並ぶと、順に１、２、３、４、及び５であってよいと仮定する。
【００８３】
第１ＶＮＦＭが、第１ＶＮＦＭと別のＶＮＦＭとの間の通信インターフェースを確立するときに必要とされるＶＮＦＭ間の優先度関係が、表１に示され得る。すなわち、優先度が１のＶＮＦＭに対応する優先度関係における優先度は３であり、優先度が２のＶＮＦＭに対応する優先度関係における優先度は２であり、優先度が３のＶＮＦＭに対応する優先度関係における優先度は５であり、優先度が４のＶＮＦＭに対応する優先度関係における優先度は１であり、優先度が５のＶＮＦＭに対応する優先度関係における優先度は４である。
【００８４】
具体的には、優先度が３のＶＮＦＭ及び優先度が４のＶＮＦＭは、第１ＶＮＦＭと通信インターフェースを確立するよう同時に要求すると仮定する。優先度が３のＶＮＦＭの優先度は優先度が４のＶＮＦＭの優先度より高いが、第１ＶＮＦＭに関して、優先度が４のＶＮＦＭは、第１ＶＮＦＭが別のＶＮＦＭと通信インターフェースを確立する場合に、最も高い優先度を有する。従って、第１ＶＮＦＭが１つの通信インターフェースのみの確立を許可するとき、第１ＶＮＦＭは、優先度が３のＶＮＦＭ及び優先度が４のＶＮＦＭに対応する優先度関係における優先度に従って、優先度が４のＶＮＦＭに対応する優先度関係における優先度１が、優先度が３のＶＮＦＭに対応する優先度関係における優先度５より高いことを決定する。従って、第１ＶＮＦＭは、第１ＶＮＦＭと、優先度が４のＶＮＦＭとの間の通信インターフェースの確立を許可する。
［表１］
【表１】
0006445715.tif 000002
【００８５】
任意選択的に、本発明のこの実施形態において、第１ＶＮＦＭのインターフェース確立ポリシーは、第１リストをさらに含む。第１リストは、ブラックリスト又はホワイトリストのうちの少なくとも１つを含む。ブラックリストは、第１ＶＮＦＭとインターフェースを確立することが第１ＶＮＦＭにより許可されないＶＮＦＭのアイデンティティを含む。ホワイトリストは、第１ＶＮＦＭとインターフェースを確立することが第１ＶＮＦＭにより許可されるＶＮＦＭのアイデンティティを含む。
【００８６】
具体的には、本発明のこの実施形態において、第１ＶＮＦＭにより受信されたインターフェース確立要求メッセージにおいて保持されるＶＮＦＭのアイデンティティが、ブラックリストに存在するアイデンティティである場合、第１ＶＮＦＭは常に、第１ＶＮＦＭと該ＶＮＦＭとの間の通信インターフェースの確立を許可しない。すなわち、該ＶＮＦＭのアイデンティティがブラックリストに存在するアイデンティティである限り、第１ＶＮＦＭは、第１ＶＮＦＭと該ＶＮＦＭとの間の通信インターフェースの確立を許可しないと決定し得る。
【００８７】
第１ＶＮＦＭにより受信されたインターフェース確立要求メッセージにおいて保持されるＶＮＦＭのアイデンティティがホワイトリストに存在するアイデンティティである場合、第１ＶＮＦＭは常に、第１ＶＮＦＭと該ＶＮＦＭとの間の通信インターフェースの確立を許可する。すなわち、該ＶＮＦＭのアイデンティティがホワイトリストに存在するアイデンティティである限り、第１ＶＮＦＭは、第１ＶＮＦＭと該ＶＮＦＭとの間の通信インターフェースの確立を許可すると決定し得る。
【００８８】
Ｓ１０３．第１ＶＮＦＭが通信インターフェースの確立を許可すると決定したとき、第１ＶＮＦＭは、インターフェース確立応答メッセージを第２ＶＮＦＭに送信し、ここで、インターフェース確立応答メッセージは、通信インターフェースが問題なく確立されたことを示すために用いられる。
【００８９】
本発明のこの実施形態において、第１ＶＮＦＭがインターフェース確立応答メッセージを第２ＶＮＦＭに送信した場合は、第１ＶＮＦＭと第２ＶＮＦＭとの間の通信インターフェースが問題なく確立されたことを示すことに留意すべきである。
【００９０】
第１ＶＮＦＭが第１ＶＮＦＭと第２ＶＮＦＭとの間の通信インターフェースの確立を許可したとき、第１ＶＮＦＭは、第１ＶＮＦＭと第２ＶＮＦＭとの間の通信インターフェースの確立を完了させるように、第１ＶＮＦＭのリソースに従って、通信インターフェースにリソースを割り当て、インターフェース確立応答メッセージを第２ＶＮＦＭに送信することが理解され得る。従って、第１ＶＮＦＭと第２ＶＮＦＭとは、通信インターフェースを用いることにより、情報のやり取りを直接実行し得る。
【００９１】
ＶＮＦＭ間の通信インターフェースは、Ｓ１０１からＳ１０３における方法を実行することにより、確立され得て、これにより、ＶＮＦＭは、情報のやり取りを直接実行することができ、それにより、ＶＮＦＭ間の通信の効率を向上させる。加えて、ネットワーク構築処理において、例えば、比較的に小規模のＮＦＶシステムが１つだけ確立される必要があるとき、ネットワーク構築の予備段階においては、ＶＮＦＭ間の通信インターフェースが本発明のこの実施形態において提供されるＶＮＦＭ間のインターフェースを確立するための方法を用いることによって確立されるので、ＶＮＦＭ間の情報のやり取りは、もはやＮＦＶＯによる転送を必要としない。従って、専用ＮＦＶＯを配置する必要がなくなり、それにより、ネットワーク構築のコストを格段に減少させる。
【００９２】
さらに、本発明のこの実施形態において提供されるＶＮＦＭ間のインターフェースを確立するための方法をより良く説明するために、いくつかの例に関連して、以下では、Ｓ１０２を説明する。Ｓ１０２においては、第１ＶＮＦＭは、インターフェース確立要求メッセージと第１ＶＮＦＭのインターフェース確立ポリシーとに従って、通信インターフェースの確立を許可するかを決定する。
【００９３】
第１例において、第１ＶＮＦＭのインターフェース確立ポリシーは、確立されることが第１ＶＮＦＭにより許可される通信インターフェースの最大数量を含むと仮定する。
【００９４】
第１ＶＮＦＭがインターフェース確立要求メッセージを受信した後に、第１ＶＮＦＭは、確立されることが第１ＶＮＦＭにより許可される通信インターフェースの最大数量に従って、通信インターフェースの確立を許可するかを決定し得る。具体的には、Ｓ１０２は、以下を含み得る。
【００９５】
Ｓ１０．第１ＶＮＦＭは、インターフェース確立要求メッセージに従って、第１ＶＮＦＭの確立されている通信インターフェースの数量が、確立されることが第１ＶＮＦＭにより許可される通信インターフェースの最大数量より少ないかを決定する。
【００９６】
Ｓ１１．第１ＶＮＦＭの確立されている通信インターフェースの数量が、確立されることが第１ＶＮＦＭにより許可される通信インターフェースの最大数量より少ないとき、第１ＶＮＦＭは、通信インターフェースの確立を許可すると決定する。
【００９７】
Ｓ１２．第１ＶＮＦＭの確立されている通信インターフェースの数量が、確立されることが第１ＶＮＦＭにより許可される通信インターフェースの最大数量に等しいとき、第１ＶＮＦＭは、通信インターフェースの確立を許可しないと決定する。
【００９８】
第２例において、第１ＶＮＦＭのインターフェース確立ポリシーは、確立されることが第１ＶＮＦＭにより許可される通信インターフェースの最大数量と、予め定義されたＶＮＦＭ間の優先度関係とを含み、インターフェース確立要求メッセージは、第２ＶＮＦＭの優先度を保持すると仮定する。
【００９９】
第１ＶＮＦＭがインターフェース確立要求メッセージを受信した後に、第１ＶＮＦＭは、確立されることが第１ＶＮＦＭにより許可される通信インターフェースの最大数量と、優先度関係と、第２ＶＮＦＭの優先度とに従って、通信インターフェースの確立を許可するかを決定し得る。具体的には、Ｓ１０２は、以下を含み得る。
【０１００】
Ｓ２０．第１ＶＮＦＭは、インターフェース確立要求メッセージに従って、第１ＶＮＦＭの確立されている通信インターフェースの数量が、確立されることが第１ＶＮＦＭにより許可される通信インターフェースの最大数量より少ないかを決定する。
【０１０１】
Ｓ２１．第１ＶＮＦＭの確立されている通信インターフェースの数量が、確立されることが第１ＶＮＦＭにより許可される通信インターフェースの最大数量より少ないとき、第１ＶＮＦＭは、通信インターフェースの確立を許可すると決定する。
【０１０２】
Ｓ２２．第１ＶＮＦＭの確立されている通信インターフェースの数量が確立されることが第１ＶＮＦＭにより許可される通信インターフェースの最大数量に等しいとき、第１ＶＮＦＭは、第２ＶＮＦＭの優先度を取得する。
【０１０３】
具体的には、本発明のこの実施形態において、第１ＶＮＦＭは、以下の２つの方式（方式１及び方式２）で、第２ＶＮＦＭの優先度を取得し得る。
【０１０４】
方式１において、第１ＶＮＦＭは、インターフェース確立要求メッセージにおいて保持される第２ＶＮＦＭの優先度を取得する。
【０１０５】
すなわち、方式１において、第２ＶＮＦＭにより送信されたインターフェース確立要求メッセージは、第２ＶＮＦＭの優先度を保持する。従って、第１ＶＮＦＭは、インターフェース確立要求メッセージから第２ＶＮＦＭの優先度を取得し得る。
【０１０６】
方式２において、第１ＶＮＦＭは、第１ＶＮＦＭにおいて格納される第２ＶＮＦＭの優先度を取得する。
【０１０７】
具体的には、ＮＦＶシステムにおいて第１ＶＮＦＭと情報のやり取りを実行し得る全てのＶＮＦＭの属性は、第１ＶＮＦＭに予め格納され得る。第１ＶＮＦＭに格納される複数のＶＮＦＭの属性は少なくとも、該複数のＶＮＦＭのアイデンティティと、該複数のＶＮＦＭの優先度とを含む。
【０１０８】
第２ＶＮＦＭにより送信されたインターフェース確立要求メッセージを受信した後に、第１ＶＮＦＭは、インターフェース確立要求メッセージにおいて保持される第２ＶＮＦＭのアイデンティティに従って、第１ＶＮＦＭにおいて格納される複数のＶＮＦＭの属性から、第２ＶＮＦＭのアイデンティティに対応する第２ＶＮＦＭの優先度を決定する。
【０１０９】
第１ＶＮＦＭが第２ＶＮＦＭにより送信されたインターフェース確立要求メッセージを受信する前に、すなわち、第１ＶＮＦＭが別のＶＮＦＭと通信インターフェースを確立する前に、第１ＶＮＦＭは、まず、アイデンティティ要求メッセージをブロードキャストし得る。アイデンティティ要求メッセージは、第１ＶＮＦＭとの情報のやり取りを実行し得るＶＮＦＭの属性を要求するために用いられる。ＶＮＦＭの属性は少なくとも、ＶＮＦＭのアイデンティティとＶＮＦＭの優先度とを含む。
【０１１０】
第１ＶＮＦＭによりブロードキャストされるアイデンティティ要求メッセージを受信できる各ＶＮＦＭは、第１ＶＮＦＭと情報のやり取りを実行し得るＶＮＦＭである。アイデンティティ要求メッセージを受信する各ＶＮＦＭは、アイデンティティ応答メッセージにそれ自身の属性を追加することにより、該属性を第１ＶＮＦＭに送信する。
【０１１１】
各ＶＮＦＭにより送信されたアイデンティティ応答メッセージを受信した後に、第１ＶＮＦＭは、第１ＶＮＦＭにおける各ＶＮＦＭの属性を格納する。従って、第２ＶＮＦＭにより送信されたインターフェース確立要求メッセージを受信した後に、第１ＶＮＦＭは、インターフェース確立要求メッセージにおいて保持される第２ＶＮＦＭのアイデンティティに従って、第１ＶＮＦＭにおいて格納される複数のＶＮＦＭの属性から、第２ＶＮＦＭのアイデンティティに対応する第２ＶＮＦＭの優先度を決定する。
【０１１２】
Ｓ２３．第１ＶＮＦＭは、第２ＶＮＦＭの優先度に従って、優先度関係における第２ＶＮＦＭに対応する優先度を決定する。
【０１１３】
例えば、第２ＶＮＦＭの優先度が１であると仮定すると、表１から分かり得るように、優先度関係における第２ＶＮＦＭの優先度は、３である。
【０１１４】
Ｓ２４．第１ＶＮＦＭは、優先度関係における第２ＶＮＦＭに対応する優先度が、優先度関係における第３ＶＮＦＭに対応する優先度より高いかを決定する。
【０１１５】
第３ＶＮＦＭは、優先度関係において最も低い優先度に対応し、第１ＶＮＦＭと通信インターフェースを確立している複数のＶＮＦＭのうちのＶＮＦＭである。
【０１１６】
例えば、ＶＮＦＭ１、ＶＮＦＭ２、ＶＮＦＭ３、ＶＮＦＭ４、及びＶＮＦＭ５といった、第１ＶＮＦＭと通信インターフェースを確立している５つのＶＮＦＭが存在すると仮定する。表１に示されている優先度関係におけるＶＮＦＭ１及びＶＮＦＭ２に対応する両方の優先度が１であり、優先度関係におけるＶＮＦＭ３及びＶＮＦＭ４に対応する両方の優先度が２であり、優先度関係におけるＶＮＦＭ５に対応する優先度が５である。５つのＶＮＦＭにおいてＶＮＦＭ５は、優先度関係において最も低い優先度に対応しているので、ＶＮＦＭ５は、第３ＶＮＦＭである。
【０１１７】
Ｓ２５．優先度関係における第２ＶＮＦＭの優先度が優先度関係における第３ＶＮＦＭの優先度より高いと第１ＶＮＦＭが決定したとき、第１ＶＮＦＭは、通信インターフェースの確立を許可すると決定する。
【０１１８】
例えば、優先度関係における第２ＶＮＦＭに対応する優先度が３であり、優先度関係における第３ＶＮＦＭに対応する優先度が５であると仮定する。優先度関係における第２ＶＮＦＭに対応する優先度が優先度関係における第３ＶＮＦＭに対応する優先度より高いので、第１ＶＮＦＭは、第１ＶＮＦＭと第２ＶＮＦＭとの間の通信インターフェースの確立を許可すると決定する。
【０１１９】
Ｓ２６．優先度関係における第２ＶＮＦＭに対応する優先度が優先度関係における第３ＶＮＦＭに対応する優先度より低いと第１ＶＮＦＭが決定したとき、第１ＶＮＦＭは、通信インターフェースの確立を許可しないと決定する。
【０１２０】
本発明のこの実施形態において、第１ＶＮＦＭの確立されている通信インターフェースの数量が、確立されることが第１ＶＮＦＭにより許可される通信インターフェースの最大数量に等しいとき、第２ＶＮＦＭにより送信されたインターフェース確立要求メッセージを受信した後に、第１ＶＮＦＭは、予め定義されたＶＮＦＭ間の優先度関係における第２ＶＮＦＭに対応する優先度を、優先度関係における第３ＶＮＦＭに対応する優先度と比較することに留意すべきである。
【０１２１】
優先度関係における第２ＶＮＦＭに対応する優先度が優先度関係における第３ＶＮＦＭに対応する優先度より高いとき、第１ＶＮＦＭは、まず、第１ＶＮＦＭと第３ＶＮＦＭとの間で確立された通信インターフェースを切断してよく、すなわち、第１ＶＮＦＭと第３ＶＮＦＭとの間の通信インターフェースによって占有された、第１ＶＮＦＭにおけるリソースをリリースしてよく、これにより、第１ＶＮＦＭと第２ＶＮＦＭとの間の確立されるべき通信インターフェースのために必要とされるリソースを確保する。
【０１２２】
さらに、第１ＶＮＦＭが第１ＶＮＦＭと第３ＶＮＦＭとの間の通信インターフェースを切断したとき、第１ＶＮＦＭが第１ＶＮＦＭと第３ＶＮＦＭとの間の通信インターフェースを切断していることを第３ＶＮＦＭに通知するように、第１ＶＮＦＭはさらに、第３ＶＮＦＭにインターフェース切断要求メッセージを送信する必要がある。インターフェース切断要求メッセージを受信したとき、第３ＶＮＦＭは、インターフェース切断要求メッセージに従って、第３ＶＮＦＭと第１ＶＮＦＭとの間の通信インターフェースを切断してよく、すなわち、第１ＶＮＦＭと第３ＶＮＦＭとの間の通信インターフェースによって占有された、第３ＶＮＦＭにおけるリソースをリリースしてよい。
【０１２３】
第３例において、第１ＶＮＦＭのインターフェース確立ポリシーは、確立されることが第１ＶＮＦＭにより許可される通信インターフェースの最大数量と、第１リストとを含み、インターフェース確立要求メッセージは、第２ＶＮＦＭのアイデンティティを保持すると仮定する。
【０１２４】
第１ＶＮＦＭがインターフェース確立要求メッセージを受信した後に、第１ＶＮＦＭは、確立されることが第１ＶＮＦＭにより許可される通信インターフェースの最大数量と、第１リストと、第２ＶＮＦＭのアイデンティティとに従って、通信インターフェースの確立を許可するかを決定し得る。具体的には、Ｓ１０２は、以下を含み得る。
【０１２５】
Ｓ３０．第１ＶＮＦＭは、インターフェース確立要求メッセージにおいて保持される第２ＶＮＦＭのアイデンティティを取得する。
【０１２６】
Ｓ３１．第１リストが少なくともホワイトリストを含み、ホワイトリストが第２ＶＮＦＭのアイデンティティを含むとき、第１ＶＮＦＭは、通信インターフェースの確立を許可すると決定する。
【０１２７】
第１リストが少なくともホワイトリストを含むとき、すなわち、第１リストがホワイトリストを含み、又は、第１リストがホワイトリスト及びブラックリストを含むとき、ホワイトリストが第２ＶＮＦＭのアイデンティティを含むと第１ＶＮＦＭが決定した場合、第１ＶＮＦＭの確立されている通信インターフェースの数量が、確立されることが第１ＶＮＦＭにより許可される通信インターフェースの最大数量より少ないかに関係なく、第１ＶＮＦＭは、通信インターフェースの確立を許可することに留意すべきである。
【０１２８】
具体的には、ホワイトリストが第２ＶＮＦＭのアイデンティティを含み、第１ＶＮＦＭの確立されている通信インターフェースの数量が、確立されることが第１ＶＮＦＭにより許可される通信インターフェースの最大数量に等しいと第１ＶＮＦＭが決定したとき、第１ＶＮＦＭは、第１ＶＮＦＭと通信インターフェースを確立しており、アイデンティティがホワイトリストに存在しない複数のＶＮＦＭから、ＶＮＦＭをランダムに選択し得る。
【０１２９】
第５ＶＮＦＭが最後に選択されると仮定する。第１ＶＮＦＭは、まず、第１ＶＮＦＭと第５ＶＮＦＭとの間の通信インターフェースを切断し、インターフェース切断要求メッセージを第５ＶＮＦＭに送信してよく、これにより、第１ＶＮＦＭと第２ＶＮＦＭとの間の確立されるべき通信インターフェースのために必要とされるリソースを確保する。
【０１３０】
Ｓ３２．第１リストが少なくともブラックリストを含み、ブラックリストが第２ＶＮＦＭのアイデンティティを含むとき、第１ＶＮＦＭは、通信インターフェースの確立を許可しないと決定する。
【０１３１】
具体的には、第１リストが少なくともブラックリストを含むとき、すなわち、第１リストがブラックリストを含み、又は、第１リストは、ホワイトリスト及びブラックリストを含むとき、ブラックリストが第２ＶＮＦＭのアイデンティティを含むと第１ＶＮＦＭが決定する限り、第１ＶＮＦＭは、通信インターフェースの確立を許可しないと決定し得る。
【０１３２】
Ｓ３３．第１リストは、第２ＶＮＦＭのアイデンティティを含まないとき、第１ＶＮＦＭは、第１ＶＮＦＭの確立されている通信インターフェースの数量が、確立されることが第１ＶＮＦＭにより許可される通信インターフェースの最大数量より少ないかを決定する。
【０１３３】
第１リストがホワイトリストを含むとき、第１リストが第２ＶＮＦＭのアイデンティティを含まないことは、ホワイトリストは第２ＶＮＦＭのアイデンティティを含まないことを意味することが理解され得る。第１リストがブラックリストを含むとき、第１リストが第２ＶＮＦＭのアイデンティティを含まないことは、ブラックリストは第２ＶＮＦＭのアイデンティティを含まないことを意味する。第１リストがブラックリスト及びホワイトリストを含むとき、第１リストが第２ＶＮＦＭのアイデンティティを含まないことは、ブラックリスト及びホワイトリストの両方とも、第２ＶＮＦＭのアイデンティティを含まないことを意味する。
【０１３４】
Ｓ３４．第１ＶＮＦＭの確立されている通信インターフェースの数量が、確立されることが第１ＶＮＦＭにより許可される通信インターフェースの最大数量より少ないとき、第１ＶＮＦＭは、通信インターフェースの確立を許可すると決定する。
【０１３５】
Ｓ３５．第１ＶＮＦＭの確立されている通信インターフェースの数量が、確立されることが第１ＶＮＦＭにより許可される通信インターフェースの最大数量に等しいとき、第１ＶＮＦＭは、通信インターフェースの確立を許可しないと決定する。
【０１３６】
第４例において、第１ＶＮＦＭのインターフェース確立ポリシーは、確立されることが第１ＶＮＦＭにより許可される通信インターフェースの最大数量と、予め定義されたＶＮＦＭ間の優先度関係と、第１リストとを含み、インターフェース確立要求メッセージは少なくとも、第２ＶＮＦＭのアイデンティティを保持すると仮定する。
【０１３７】
第１ＶＮＦＭがインターフェース確立要求メッセージを受信した後に、第１ＶＮＦＭは、確立されることが第１ＶＮＦＭにより許可される通信インターフェースの最大数量と、優先度関係と、第１リストと、第２ＶＮＦＭのアイデンティティと、第２ＶＮＦＭの優先度とに従って、通信インターフェースの確立を許可するかを決定し得る。具体的には、Ｓ１０２は以下を含み得る。
【０１３８】
Ｓ４０．第１ＶＮＦＭは、インターフェース確立要求メッセージにおいて保持される第２ＶＮＦＭのアイデンティティを取得する。
【０１３９】
Ｓ４１．第１リストが少なくともホワイトリストを含み、ホワイトリストが第２ＶＮＦＭのアイデンティティを含むとき、第１ＶＮＦＭは、通信インターフェースの確立を許可すると決定する。
【０１４０】
第１リストが少なくともホワイトリストを含むとき、ホワイトリストが第２ＶＮＦＭのアイデンティティを含むと第１ＶＮＦＭが決定した場合、第１ＶＮＦＭの確立されている通信インターフェースの数量が、確立されることが第１ＶＮＦＭにより許可される通信インターフェースの最大数量より少ないかに関係なく、第１ＶＮＦＭは、通信インターフェースの確立を許可することに留意すべきである。
【０１４１】
具体的には、ホワイトリストが第２ＶＮＦＭのアイデンティティを含み、第１ＶＮＦＭの確立されている通信インターフェースの数量が、確立されることが第１ＶＮＦＭにより許可される通信インターフェースの最大数量に等しいと第１ＶＮＦＭが決定したとき、第１ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭを選択し得る。
【０１４２】
本発明のこの実施形態において、複数のＶＮＦＭが優先度関係において最も低い優先度に対応しているとき、第１ＶＮＦＭは、該複数のＶＮＦＭから、１つのＶＮＦＭをランダムに選択してよいことに留意すべきである。
【０１４３】
第４ＶＮＦＭが最後に選択されると仮定する。第１ＶＮＦＭは、まず、第１ＶＮＦＭと第４ＶＮＦＭとの間の通信インターフェースを切断し、インターフェース切断要求メッセージを第４ＶＮＦＭに送信してよく、これにより、第１ＶＮＦＭと第２ＶＮＦＭとの間の確立されるべき通信インターフェースのために必要とされるリソースを確保する。
【０１４４】
Ｓ４２．第１リストが少なくともブラックリストを含み、ブラックリストが第２ＶＮＦＭのアイデンティティを含むとき、第１ＶＮＦＭは、通信インターフェースの確立を許可しないと決定する。
【０１４５】
Ｓ４３．第１リストが第２ＶＮＦＭのアイデンティティを含まないとき、第１ＶＮＦＭは、第１ＶＮＦＭの確立されている通信インターフェースの数量が、確立されることが第１ＶＮＦＭにより許可される通信インターフェースの最大数量より少ないかを決定する。
【０１４６】
Ｓ４４．第１ＶＮＦＭの確立されている通信インターフェースの数量が、確立されることが第１ＶＮＦＭにより許可される通信インターフェースの最大数量より少ないとき、第１ＶＮＦＭは、通信インターフェースの確立を許可すると決定する。
【０１４７】
Ｓ４５．第１ＶＮＦＭの確立されている通信インターフェースの数量が、確立されることが第１ＶＮＦＭにより許可される通信インターフェースの最大数量に等しいとき、第１ＶＮＦＭは、第２ＶＮＦＭの優先度を取得する。
【０１４８】
具体的には、Ｓ４６における第１ＶＮＦＭにより第２ＶＮＦＭの優先度を取得する具体的な方式についてはＳ２２の関連説明を参照する。詳細はここでは、説明されない。
【０１４９】
Ｓ４６．第１ＶＮＦＭは、第２ＶＮＦＭの優先度に従って、優先度関係における第２ＶＮＦＭに対応する優先度を決定する。
【０１５０】
Ｓ４７．第１ＶＮＦＭは、優先度関係における第２ＶＮＦＭに対応する優先度が優先度関係における第４ＶＮＦＭに対応する優先度より高いかを決定する。
【０１５１】
第１リストが少なくともホワイトリストを含むとき、第４ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭである。
【０１５２】
例えば、ＶＮＦＭ４及びＶＮＦＭ５といった、アイデンティティがホワイトリストに存在せずに第１ＶＮＦＭと通信インターフェースを確立している２つのＶＮＦＭが存在すると仮定する。優先度関係におけるＶＮＦＭ４に対応する優先度は、表１において２と示され、優先度関係におけるＶＮＦＭ５に対応する優先度が５である。優先度関係におけるＶＮＦＭ５に対応する優先度は、優先度関係におけるＶＮＦＭ４に対応する優先度より低いので、ＶＮＦＭ５は、第４ＶＮＦＭとして選択される。
【０１５３】
第１リストがホワイトリストを含まないとき、すなわち、第１リストがブラックリストを含むとき、第４ＶＮＦＭは、優先度関係において最も低い優先度に対応し、第１ＶＮＦＭと通信インターフェースを確立している複数のＶＮＦＭのうちのＶＮＦＭである。
【０１５４】
Ｓ４８．優先度関係における第２ＶＮＦＭに対応する優先度が優先度関係における第４ＶＮＦＭに対応する優先度より高いと第１ＶＮＦＭが決定したとき、第１ＶＮＦＭは、通信インターフェースの確立を許可すると決定する。
【０１５５】
Ｓ４９．優先度関係における第２ＶＮＦＭに対応する優先度が優先度関係における第４ＶＮＦＭに対応する優先度より低いと第１ＶＮＦＭが決定したとき、第１ＶＮＦＭは、通信インターフェースの確立を許可しないと決定する。
【０１５６】
さらに、本発明のこの実施形態において、第１リストに存在するアイデンティティは、動的に変更し得ることに留意すべきである。すなわち、ブラックリストに存在するアイデンティティ及びホワイトリストに存在するアイデンティティの両方は、動的に変更し得る。
【０１５７】
例えば、障害検出又はパラメータデバッグなどの動作がＮＦＶシステムにおけるＶＮＦＭ上で行われる必要があるとき、各ＶＮＦＭにおける第１リストは、動的に更新されてよく、これにより、ネットワーク動作又はデバッグに影響を及ぼす不必要なＶＮＦＭアイデンティティがブラックリスト又はホワイトリストに現れることを防止する。
【０１５８】
具体的には、第１ＶＮＦＭに格納される第１リストは、動的に更新され得る。例えば、第１リストは、第１ＶＮＦＭの作業プラットフォーム（すなわち、作業インターフェース）上で直接更新され得て、又は、ＥＭ，ＮＭ、もしくはＮＦＶＯなどの、第１ＶＮＦＭの上位機能ノードの作業プラットフォーム上で設定され得て、さらに、該ＥＭ、ＮＭ、もしくはＮＦＶＯは、第１リストを動的に更新する。代わりに、自動検出システムが、該ＥＭ、ＮＭ、ＮＦＶＯ、又は第１ＶＮＦＭにおいて予め設定され得る。自動検出システムがトリガされて動作したとき、ＥＭ，ＮＭ、ＮＦＶＯ、又は第１ＶＮＦＭは、第１リストを自動的に更新する。
【０１５９】
さらに、第１リストが少なくともブラックリストを含む場合、第１ＶＮＦＭが第２ＶＮＦＭにインターフェース確立応答メッセージを送信した後に、すなわち、第１ＶＮＦＭと第２ＶＮＦＭとの間の通信インターフェースが問題なく確立された後に、ブラックリストが更新された場合、第１ＶＮＦＭは、更新されたブラックリストを取得する必要がある。
【０１６０】
第１ＶＮＦＭにより更新されたブラックリストを取得する方式は複数存在する。例えば、第１ＶＮＦＭがブラックリストを能動的に更新することができる場合、第１ＶＮＦＭがブラックリストを更新した後に、第１ＶＮＦＭは、更新されたブラックリストを直接取得し得る。
【０１６１】
第１ＶＮＦＭの上位機能ノードがブラックリストを更新する場合、第１ＶＮＦＭの上位ノードがブラックリストを更新した後に、第１ＶＮＦＭの上位ノードは、インジケーション情報を第１ＶＮＦＭに送信し得て、第１ＶＮＦＭは、インジケーション情報に従って、更新されたブラックリストを取得し、又は、第１ＶＮＦＭの上位機能ノードは、更新されたブラックリストを第１ＶＮＦＭに直接送信し得て、これにより、第１ＶＮＦＭは、更新されたブラックリストをクエリする。
【０１６２】
第１ＶＮＦＭは、ブラックリストが更新されたかを決定するように、ブラックリストに対してリアルタイムのクエリを実行し得る。ブラックリストが更新されたと第１ＶＮＦＭが決定した場合、第１ＶＮＦＭは、更新されたブラックリストを取得する。
【０１６３】
さらに、これらの例に加えて、第１ＶＮＦＭは、ブラックリストが更新された後に、他の方式で更新されたブラックリストを取得し得る。他の方式について、ここでは一つずつ列挙されない。
【０１６４】
ブラックリストが第２ＶＮＦＭのアイデンティティを含むと第１ＶＮＦＭが決定した場合、第１ＶＮＦＭは、通信インターフェースを切断する。
【０１６５】
第１ＶＮＦＭと第２ＶＮＦＭとの間の通信インターフェースが問題なく確立された後に、第１ＶＮＦＭにおいて格納されるブラックリストが更新された後に第２ＶＮＦＭのアイデンティティがブラックリストに追加される場合、ブラックリストに存在するアイデンティティは、第１ＶＮＦＭとインターフェースを確立することが第１ＶＮＦＭにより許可されないＶＮＦＭのアイデンティティであるので、第１ＶＮＦＭがブラックリストをクエリすることにより最新の更新されたブラックリストが第２ＶＮＦＭのアイデンティティを含むと決定した後に、第１ＶＮＦＭは、通信インターフェースを切断する。
【０１６６】
第２ＶＮＦＭのアイデンティティが第１ＶＮＦＭに格納されるブラックリストに追加された場合、第１ＶＮＦＭのアイデンティティも、第２ＶＮＦＭに格納されるブラックリストに追加されることに留意すべきである。同様に、第２ＶＮＦＭのアイデンティティが第１ＶＮＦＭに格納されるホワイトリストに追加された場合、第１ＶＮＦＭのアイデンティティも、第２ＶＮＦＭに格納されるホワイトリストに追加される。
【０１６７】
さらに、本発明のこの実施形態において、第１ＶＮＦＭのインターフェース確立ポリシーは、この３つの列挙されたインターフェース確立ポリシーに限定されず、別のインターフェース確立ポリシーをさらに含み得る。加えて、第１ＶＮＦＭと別のＶＮＦＭとの間の通信インターフェースが確立されたとき、用いられる組み合わせ方式及び複数のインターフェース確立ポリシーの実行シーケンスが、この４つの列挙された例に限定されず、第１ＶＮＦＭが別のＶＮＦＭと通信インターフェースを確立したとき、必要に応じて再設計され得る。このことについては、ここでは一つずつ列挙されない。
【０１６８】
本発明のこの実施形態において提供されるＶＮＦＭ間のインターフェースを確立するための方法は、第２ＶＮＦＭにより送信されたインターフェース確立要求メッセージを第１ＶＮＦＭにより受信する段階と、インターフェース確立要求メッセージと第１ＶＮＦＭのインターフェース確立ポリシーとに従って、通信インターフェースの確立を許可するかを決定する段階と、第１ＶＮＦＭが通信インターフェースの確立を許可すると決定したとき、第１ＶＮＦＭにより、インターフェース確立応答メッセージを第２ＶＮＦＭに送信する段階であって、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されたことを示すために用いられる、段階とを備え得る。該方法によると、第２ＶＮＦＭが第１ＶＮＦＭにインターフェース確立要求メッセージを送信した後に、第１ＶＮＦＭと第２ＶＮＦＭとの間の通信インターフェースは、第１ＶＮＦＭからの許可の下、確立され得る。これにより、第１ＶＮＦＭと第２ＶＮＦＭとは、通信インターフェースを用いることにより、直接通信することができ、それにより、第１ＶＮＦＭと第２ＶＮＦＭとの間の通信の効率を向上させる。
【０１６９】
本発明のこの実施形態は、ＶＮＦＭ間のインターフェースを確立するための方法を提供する。図３に示されているように、該方法は、以下の段階を含み得る。
【０１７０】
Ｓ２０１．第２ＶＮＦＭが第１ＶＮＦＭにインターフェース確立要求メッセージを送信し、ここで、インターフェース確立要求メッセージは、第１ＶＮＦＭと第２ＶＮＦＭとの間の通信インターフェースを確立するよう要求するために用いられる。
【０１７１】
Ｓ２０２．第２ＶＮＦＭは、第１ＶＮＦＭにより送信されたインターフェース確立応答メッセージを受信し、ここで、インターフェース確立応答メッセージは、通信インターフェースが問題なく確立されたことを示すために用いられる。
【０１７２】
具体的には、本発明のこの実施形態において、第２ＶＮＦＭが第１ＶＮＦＭと情報のやり取りを実行する必要があるとき、第２ＶＮＦＭは、第１ＶＮＦＭにインターフェース確立要求メッセージを送信し、これにより、第２ＶＮＦＭと第１ＶＮＦＭとの間の通信インターフェースを確立するよう要求する。さらに、第１ＶＮＦＭがインターフェース確立要求メッセージを受信した後に、第１ＶＮＦＭが通信インターフェースの確立を許可すると決定したとき、第１ＶＮＦＭは、第２ＶＮＦＭにインターフェース確立応答メッセージを送信する。従って、第２ＶＮＦＭがインターフェース確立応答メッセージを受信した後に、第２ＶＮＦＭは、第２ＶＮＦＭのサービス要求を満たすように、通信インターフェースを用いることにより、第１ＶＮＦＭと情報のやり取りを実行し得る。
【０１７３】
本発明のこの実施形態において提供されるＶＮＦＭ間のインターフェースを確立するための方法は、第２ＶＮＦＭにより、インターフェース確立要求メッセージを第１ＶＮＦＭに送信する段階と、第１ＶＮＦＭにより送信されたインターフェース確立応答メッセージを受信する段階であって、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されたことを示すために用いられる、段階とを備え得る。該方法によると、第１ＶＮＦＭが第２ＶＮＦＭにより送信されたインターフェース確立要求メッセージを受信した後に、第１ＶＮＦＭが第１ＶＮＦＭと第２ＶＮＦＭとの間の通信インターフェースの確立を許可すると決定したとき、第１ＶＮＦＭは、通信インターフェースの確立を完了させるように第２ＶＮＦＭへインターフェース確立応答メッセージを送信し、これにより、第１ＶＮＦＭと第２ＶＮＦＭとは、通信インターフェースを用いることにより、情報のやり取りを直接実行することができ、それにより、第１ＶＮＦＭと第２ＶＮＦＭとの間の通信の効率を向上させる。
【０１７４】
［実施形態２］
本発明のこの実施形態は、ＶＮＦＭ間のインターフェースを確立するための方法を提供する。図４に示されているように、該方法は、以下の段階を含み得る。
【０１７５】
Ｓ３０１．第２ＶＮＦＭが第１ＶＮＦＭの属性を取得する。
【０１７６】
本発明のこの実施形態において、第２ＶＮＦＭが第１ＶＮＦＭにインターフェース確立要求メッセージを送信する前に、第２ＶＮＦＭは、第１ＶＮＦＭの属性を取得する必要があり、これにより、第２ＶＮＦＭは、第１ＶＮＦＭの属性に従って、インターフェース確立要求メッセージを第１ＶＮＦＭに送信すると決定することができる。
【０１７７】
第１ＶＮＦＭの属性は少なくとも、第１ＶＮＦＭのアイデンティティを含み、又は、第１ＶＮＦＭのアイデンティティ及び第１ＶＮＦＭの優先度を含む。第１ＶＮＦＭの属性は、第１ＶＮＦＭのベンダ情報、第１ＶＮＦＭのバージョン情報、及び同様のものをさらに含み得る。
【０１７８】
第２ＶＮＦＭが別のＶＮＦＭと情報のやり取りを実行する必要があるとき、第２ＶＮＦＭは、まず、第２ＶＮＦＭと情報のやり取りを実行し得る複数のＶＮＦＭを決定する必要があり、次に、第２ＶＮＦＭは、情報のやり取りが実行されるべき特定のＶＮＦＭを決定できることが理解され得る。すなわち、第２ＶＮＦＭが別のＶＮＦＭと通信インターフェースを確立するよう要求する必要がある前に、第２ＶＮＦＭは、まず、第２ＶＮＦＭと情報のやり取りを実行し得る複数のＶＮＦＭの属性を取得する必要があり、次に、インターフェース確立要求メッセージが送信されるべき特定のＶＮＦＭを決定でき、これにより、該ＶＮＦＭと第２ＶＮＦＭとの間の通信インターフェースを確立するよう要求することが理解され得る。
【０１７９】
例えば、本発明のこの実施形態において、第１ＶＮＦＭの属性は、以下の２つの方式（方式３及び方式４）で取得され得る。
【０１８０】
方式３において、第２ＶＮＦＭは、第２ＶＮＦＭにおいて格納される第１ＶＮＦＭの属性を取得する。
【０１８１】
具体的には、第２ＶＮＦＭと情報のやり取りを実行し得る全てのＶＮＦＭの属性は、第１ＶＮＦＭの属性を含み、第２ＶＮＦＭにおいて予め格納され得る。そして、第２ＶＮＦＭは、第２ＶＮＦＭと情報のやり取りを実行し得る各ＶＮＦＭの属性を知り得る。
【０１８２】
方式４において、第２ＶＮＦＭは、アイデンティティ要求メッセージをブロードキャストし、ここで、アイデンティティ要求メッセージは、インターフェース確立要求メッセージが送信されるべきＶＮＦＭの属性を要求するために用いられる。
【０１８３】
具体的には、本発明のこの実施形態において、第２ＶＮＦＭによりブロードキャストされるアイデンティティ要求メッセージを受信できる各ＶＮＦＭは、第２ＶＮＦＭと情報のやり取りを実行し得るＶＮＦＭである。
【０１８４】
従って、第１ＶＮＦＭがアイデンティティ要求メッセージを受信した後に、第１ＶＮＦＭは、アイデンティティ応答メッセージを第２ＶＮＦＭに送信する。アイデンティティ応答メッセージは、第１ＶＮＦＭの属性を保持する。
【０１８５】
第２ＶＮＦＭが第１ＶＮＦＭにより送信されたアイデンティティ応答メッセージを受信した後に、第２ＶＮＦＭは、アイデンティティ応答メッセージから第１ＶＮＦＭの属性を取得し得る。
【０１８６】
第１ＶＮＦＭを含み、第２ＶＮＦＭにより送信されたアイデンティティ要求メッセージを受信できるＶＮＦＭのそれぞれは、アイデンティティ応答メッセージに該ＶＮＦＭの属性を追加することにより、第２ＶＮＦＭに該属性を送信し、これにより、第２ＶＮＦＭは、第２ＶＮＦＭと情報のやり取りを実行し得る各ＶＮＦＭの属性を知り得ることが理解され得る。
【０１８７】
Ｓ３０２．第２ＶＮＦＭは、第１ＶＮＦＭにインターフェース確立要求メッセージを送信する。
【０１８８】
具体的には、第１ＶＮＦＭと情報のやり取りを実行する必要があると第２ＶＮＦＭが決定したとき、第２ＶＮＦＭは、第１ＶＮＦＭと第２ＶＮＦＭとの間の通信インターフェースを確立するよう要求するように、インターフェース確立要求メッセージを第１ＶＮＦＭに送信し得る。
【０１８９】
さらに、本発明のこの実施形態において、第１ＶＮＦＭと情報のやり取りを実行する必要があると第２ＶＮＦＭが決定したとき、第２ＶＮＦＭはさらに、まず、第２ＶＮＦＭのインターフェース確立ポリシー又は第２ＶＮＦＭのインターフェース確立ポリシーと、第１ＶＮＦＭの属性とに従って、第１ＶＮＦＭと第２ＶＮＦＭとの間の通信インターフェースの確立を許可するかを決定し得る。
【０１９０】
第２ＶＮＦＭが通信インターフェースの確立を許可すると決定した場合、第２ＶＮＦＭは、インターフェース確立要求メッセージを第１ＶＮＦＭに送信する。第２ＶＮＦＭが通信インターフェースの確立を許可しないと決定した場合、第２ＶＮＦＭは、インターフェース確立要求メッセージを第１ＶＮＦＭへ送信しない。
【０１９１】
第２ＶＮＦＭのインターフェース確立ポリシーは、図２の実施形態に示されている第１ＶＮＦＭのインターフェース確立ポリシーと同一であり、第２ＶＮＦＭにより通信インターフェースの確立を許可するかを決定する方式は、第１ＶＮＦＭにより通信インターフェースの確立を許可するかを決定する方式と同一である。詳細については、図２に示されている実施形態の関連説明を参照し、その詳細はここでは説明されない。
【０１９２】
Ｓ３０３．第１ＶＮＦＭは、インターフェース確立要求メッセージと、第１ＶＮＦＭのインターフェース確立ポリシーとに従って、通信インターフェースの確立を許可するかを決定する。
【０１９３】
具体的には、第１ＶＮＦＭによりインターフェース確立要求メッセージと第１ＶＮＦＭのインターフェース確立ポリシーとに従って、通信インターフェースの確立を許可するかを決定する方式については、図２に示されている実施形態の関連説明を参照し、その詳細はここでは、説明されない。
【０１９４】
Ｓ３０４．第１ＶＮＦＭが通信インターフェースの確立を許可すると決定したとき、第１ＶＮＦＭは、インターフェース確立応答メッセージを第２ＶＮＦＭに送信する。
【０１９５】
Ｓ３０５．第１ＶＮＦＭが通信インターフェースの確立を許可しないと決定したとき、第１ＶＮＦＭは、インターフェース確立拒否メッセージを第２ＶＮＦＭに送信し、ここで、インターフェース確立拒否メッセージは、通信インターフェースの確立が失敗したことを示すために用いられる。
【０１９６】
本発明のこの実施形態において、Ｓ３０４又はＳ３０５の何れかが実行されることに留意すべきである。
【０１９７】
任意選択的に、本発明のこの実施形態において、第２ＶＮＦＭがインターフェース確立要求メッセージを第１ＶＮＦＭに送信した後に、情報紛失が通信処理において発生し得るので、第２ＶＮＦＭは、インターフェース確立応答メッセージ又は第１ＶＮＦＭにより送信されたインターフェース確立拒否メッセージを受信しない場合がある。
【０１９８】
具体的には、第２ＶＮＦＭが特定の期間においてインターフェース確立応答メッセージ又は第１ＶＮＦＭにより送信されたインターフェース確立拒否メッセージを受信しないとき、第２ＶＮＦＭが依然として第１ＶＮＦＭと情報のやり取りを実行する必要がある場合、第２ＶＮＦＭがインターフェース確立応答メッセージ又は第１ＶＮＦＭにより送信されたインターフェース確立拒否メッセージを受信するまで、又は、第２ＶＮＦＭが第１ＶＮＦＭと情報のやり取りを実行する必要がないと決定するまで、第２ＶＮＦＭは再び、第１ＶＮＦＭにインターフェース確立要求メッセージを送信する。
【０１９９】
任意選択的に、本発明のこの実施形態において、第２ＶＮＦＭがインターフェース確立応答メッセージ又はインターフェース確立拒否メッセージを受信した後に、第２ＶＮＦＭはさらに、第２ＶＮＦＭがインターフェース確立応答メッセージ又はインターフェース確立拒否メッセージを受信したことを第１ＶＮＦＭに通知するように、第１ＶＮＦＭに受信確認メッセージを送信し得る。
【０２００】
具体的には、第１ＶＮＦＭが第２ＶＮＦＭへインターフェース確立応答メッセージ又はインターフェース確立拒否メッセージを送信した後に、第１ＶＮＦＭが特定の期間において第２ＶＮＦＭにより送信された受信確認メッセージを受信しない場合、第２ＶＮＦＭにより送信された受信確認メッセージが受信されるまで、第１ＶＮＦＭは再び、第２ＶＮＦＭにインターフェース確立応答メッセージ又はインターフェース確立拒否メッセージを送信する。従って、第２ＶＮＦＭは、メッセージ紛失に起因してインターフェース確立要求メッセージを第１ＶＮＦＭに連続的に送信することが、防止される。
【０２０１】
さらに、本発明のこの実施形態において、第１ＶＮＦＭと別のＶＮＦＭとの間の通信インターフェースが確立された後に、第１ＶＮＦＭは、第１ＶＮＦＭのインターフェース確立ポリシーの制限に起因して確立された通信インターフェースを切断し得る。
【０２０２】
例えば、図２に示されている実施形態において、第１ＶＮＦＭのインターフェース確立ポリシーの制限に起因して、第１ＶＮＦＭは、第１ＶＮＦＭと第２ＶＮＦＭとの間で確立された通信インターフェース、第１ＶＮＦＭと第３ＶＮＦＭとの間で確立された通信インターフェース、第１ＶＮＦＭと第４ＶＮＦＭとの間で確立された通信インターフェース、及び、第１ＶＮＦＭと第５ＶＮＦＭとの間で確立された通信インターフェースを切断する。
【０２０３】
任意選択的に、第１ＶＮＦＭは、別のＶＮＦＭにより送信されたインターフェース切断要求メッセージを受信し、インターフェース切断要求メッセージに従って、確立された通信インターフェースを切断し得る。
【０２０４】
例えば、第１ＶＮＦＭが第２ＶＮＦＭにインターフェース確立応答メッセージを送信した後に、すなわち、第１ＶＮＦＭと第２ＶＮＦＭとの間の通信インターフェースが問題なく確立された後に、第２ＶＮＦＭは、第２ＶＮＦＭのインターフェース確立ポリシーの制限に起因して通信インターフェースを切断し得る。従って、第２ＶＮＦＭが通信インターフェースを切断したとき、第２ＶＮＦＭは、第１ＶＮＦＭにインターフェース切断要求メッセージを送信する。
【０２０５】
第１ＶＮＦＭが第２ＶＮＦＭにより送信されたインターフェース切断要求メッセージを受信した後に、第１ＶＮＦＭは、インターフェース切断要求メッセージに従って、通信インターフェースを切断する。
【０２０６】
本発明のこの実施形態において第１ＶＮＦＭと第２ＶＮＦＭとは、単に異なるＶＮＦＭを区別するための名称であることに留意すべきである。加えて、本発明のこの実施形態において、ＮＦＶシステムにおける各ＶＮＦＭは、第１ＶＮＦＭにより実行できる方法を実行する第１ＶＮＦＭとして機能してよく、又は、第２ＶＮＦＭにより実行できる方法を実行する第２ＶＮＦＭとして機能してよい。
【０２０７】
本発明のこの実施形態において提供されるＶＮＦＭ間のインターフェースを確立するための方法は、第１ＶＮＦＭにより、第２ＶＮＦＭにより送信されたインターフェース確立要求メッセージを受信する段階と、インターフェース確立要求メッセージと第１ＶＮＦＭのインターフェース確立ポリシーとに従って、通信インターフェースの確立を許可するかを決定する段階と、第１ＶＮＦＭが通信インターフェースの確立を許可すると決定した場合、第１ＶＮＦＭにより、インターフェース確立応答メッセージを第２ＶＮＦＭに送信する段階であって、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されたことを示すために用いられる、段階とを備え得る。該方法によると、第２ＶＮＦＭが第１ＶＮＦＭにインターフェース確立要求メッセージを送信した後に、第１ＶＮＦＭと第２ＶＮＦＭとの間の通信インターフェースは、第１ＶＮＦＭからの許可の下、確立され得る。これにより、第１ＶＮＦＭと第２ＶＮＦＭとは、通信インターフェースを用いることにより、直接通信することができ、それにより、第１ＶＮＦＭと第２ＶＮＦＭとの間の通信の効率を向上させる。
【０２０８】
［実施形態３］
図５に示されているように、本発明のこの実施形態は、装置を提供する。装置は、図２又は図４に示されている実施形態の第１ＶＮＦＭのエンティティ装置であってよく、又は、ＮＦＶシステムに存在し、第１ＶＮＦＭにより実行され得る方法手順を実行できる論理機能モジュールが位置するエンティティ装置であってよい。エンティティ装置は、第１ＶＮＦＭのエンティティ装置に個々に配置されてよく、又は、第１ＶＮＦＭのエンティティ装置と通信できるエンティティ装置であってよい。装置は、チップの形式で表れてよい。チップは、第１ＶＮＦＭにより実行され得る方法手順を実装できるアプリケーションプログラムを保持する。
【０２０９】
具体的には、装置は、第２ＶＮＦＭにより送信されたインターフェース確立要求メッセージを受信するよう構成される受信ユニット１０であって、インターフェース確立要求メッセージは、第１ＶＮＦＭと第２ＶＮＦＭとの間の通信インターフェースを確立するよう要求するために用いられる、受信ユニット１０と、受信ユニット１０により受信されたインターフェース確立要求メッセージと第１ＶＮＦＭのインターフェース確立ポリシーとに従って、通信インターフェースの確立を許可するかを決定するよう構成される決定ユニット１１と、決定ユニット１１が通信インターフェースの確立を許可すると決定したとき、インターフェース確立応答メッセージを第２ＶＮＦＭに送信するよう構成される送信ユニット１２であって、インターフェース確立応答メッセージは、通信インターフェースが問題なく確立されることを示すために用いられる、送信ユニット１２とを備え得る。
【０２１０】
任意選択的に、第１ＶＮＦＭのインターフェース確立ポリシーは、確立されることが第１ＶＮＦＭにより許可される通信インターフェースの最大数量を含む。
【０２１１】
決定ユニット１１は、受信ユニット１０により受信されたインターフェース確立要求メッセージに従って、第１ＶＮＦＭの確立されている通信インターフェースの数量が、確立されることが第１ＶＮＦＭにより許可される通信インターフェースの最大数量より少ないかを決定するよう具体的に構成される。
【０２１２】
決定ユニット１１は、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成される。
【０２１３】
決定ユニット１１は、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【０２１４】
任意選択的に、第１ＶＮＦＭのインターフェース確立ポリシーは、ＶＮＦＭ間の優先度関係をさらに含む。優先度関係は、第１ＶＮＦＭにより、第１ＶＮＦＭと別のＶＮＦＭとの間の通信インターフェースを確立するために用いられる。
【０２１５】
決定ユニット１１は、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成される。
【０２１６】
決定ユニット１１は、第２ＶＮＦＭの優先度に従って、優先度関係における第２ＶＮＦＭに対応する優先度を決定するよう具体的に構成される。
【０２１７】
決定ユニット１１は、優先度関係における第２ＶＮＦＭに対応する優先度が優先度関係における第３ＶＮＦＭに対応する優先度より高いかを決定するよう具体的に構成され、ここで、第３ＶＮＦＭは、優先度関係において最も低い優先度に対応し、第１ＶＮＦＭと通信インターフェースを確立している複数のＶＮＦＭのうちのＶＮＦＭである。
【０２１８】
決定ユニット１１は、優先度関係における第２ＶＮＦＭに対応する優先度が優先度関係における第３ＶＮＦＭに対応する優先度より高いとき、通信インターフェースの確立を許可すると決定するよう具体的に構成される。
【０２１９】
決定ユニット１１は、優先度関係における第２ＶＮＦＭに対応する優先度が優先度関係における第３ＶＮＦＭに対応する優先度より低いとき、通信インターフェースの確立を許可しないと決定するよう具体的に構成される。
【０２２０】
任意選択的に、第１ＶＮＦＭのインターフェース確立ポリシーは、確立されることが第１ＶＮＦＭにより許可される通信インターフェースの最大数量と、第１リストとを含み、第１リストは、ブラックリスト又はホワイトリストのうちの少なくとも１つを含み、ブラックリストは、第１ＶＮＦＭとインターフェースを確立することが第１ＶＮＦＭにより許可されないＶＮＦＭのアイデンティティを含み、ホワイトリストは、第１ＶＮＦＭとインターフェースを確立することが第１ＶＮＦＭにより許可されるＶＮＦＭのアイデンティティを含み、インターフェース確立要求メッセージは、第２ＶＮＦＭのアイデンティティを保持する。
【０２２１】
決定ユニット１１は、インターフェース確立要求メッセージにおいて保持される第２ＶＮＦＭのアイデンティティを取得するよう具体的に構成される。
【０２２２】
決定ユニット１１は、第１リストが少なくともホワイトリストを含み、ホワイトリストが第２ＶＮＦＭのアイデンティティを含むとき、通信インターフェースの確立を許可すると決定するよう具体的に構成される。
【０２２３】
決定ユニット１１は、第１リストが少なくともブラックリストを含み、ブラックリストが第２ＶＮＦＭのアイデンティティを含むとき、通信インターフェースの確立を許可しないと決定すうるよう具体的に構成される。
【０２２４】
決定ユニット１１は、第１リストが第２ＶＮＦＭのアイデンティティを含まないとき、第１ＶＮＦＭの確立されている通信インターフェースの数量が、確立されることが第１ＶＮＦＭにより許可される通信インターフェースの最大数量より少ないかを決定するよう具体的に構成される。
【０２２５】
決定ユニット１１は、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成される。
【０２２６】
決定ユニット１１は、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【０２２７】
任意選択的に、第１ＶＮＦＭのインターフェース確立ポリシーは、ＶＮＦＭ間の優先度関係をさらに含む。優先度関係は、第１ＶＮＦＭにより、第１ＶＮＦＭと別のＶＮＦＭとの間の通信インターフェースを確立するために用いられる。
【０２２８】
決定ユニット１１は、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成される。
【０２２９】
決定ユニット１１は、第２ＶＮＦＭの優先度に従って、優先度関係における第２ＶＮＦＭに対応する優先度を決定するよう具体的に構成される。
【０２３０】
決定ユニット１１は、優先度関係における第２ＶＮＦＭに対応する優先度が、優先度関係における第４ＶＮＦＭに対応する優先度より高いかを決定するよう具体的に構成される。
【０２３１】
第１リストが少なくともホワイトリストを含むとき、第４ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭである。
【０２３２】
第１リストがホワイトリストを含まないとき、第４ＶＮＦＭは、優先度関係において最も低い優先度に対応し、第１ＶＮＦＭと通信インターフェースを確立している複数のＶＮＦＭのうちのＶＮＦＭである。
【０２３３】
決定ユニット１１は、優先度関係における第２ＶＮＦＭに対応する優先度が優先度関係における第４ＶＮＦＭに対応する優先度より高いとき、通信インターフェースの確立を許可すると決定するよう具体的に構成される。
【０２３４】
決定ユニット１１は、優先度関係における第２ＶＮＦＭに対応する優先度が優先度関係における第４ＶＮＦＭに対応する優先度より低いとき、通信インターフェースの確立を許可しないと決定するよう具体的に構成される。
【０２３５】
任意選択的に、決定ユニット１１は、インターフェース確立要求メッセージにおいて保持される第２ＶＮＦＭの優先度を取得するよう具体的に構成される。
【０２３６】
代わりに、決定ユニット１１は、第１ＶＮＦＭにおいて格納される第２ＶＮＦＭの優先度を取得するよう具体的に構成される。
【０２３７】
任意選択的に、図５に関連して、図６に示されているように、装置は、取得ユニット１３及び切断ユニット１４をさらに備える。
【０２３８】
取得ユニット１３は、送信ユニット１２が第２ＶＮＦＭにインターフェース確立応答メッセージを送信した後に、更新されたブラックリストを取得するよう構成される。
【０２３９】
切断ユニット１４は、取得ユニット１３により取得された更新されたブラックリストが第２ＶＮＦＭのアイデンティティを含むと決定されたとき、通信インターフェースを切断するよう構成される。
【０２４０】
任意選択的に、図５に関連して、図７に示されているように、装置は、切断ユニット１４をさらに備える。
【０２４１】
受信ユニット１０は、送信ユニット１２が第２ＶＮＦＭにインターフェース確立応答メッセージを送信した後に、第２ＶＮＦＭにより送信されたインターフェース切断要求メッセージを受信するようさらに構成され、ここで、インターフェース切断要求メッセージは、通信インターフェースを切断するよう切断ユニット１４に命令するために用いられる。
【０２４２】
切断ユニット１４は、受信ユニット１０により受信されたインターフェース切断要求メッセージに従って、通信インターフェースを切断するよう構成される。
【０２４３】
任意選択的に、送信ユニット１２は、決定ユニット１１が通信インターフェースの確立を許可しないと決定したとき、インターフェース確立拒否メッセージを第２ＶＮＦＭに送信するようさらに構成され、ここで、インターフェース確立拒否メッセージは、通信インターフェースの確立が失敗したことを示すために用いられる。
【０２４４】
本発明のこの実施形態は、装置を提供する。該装置は、第２ＶＮＦＭにより送信されたインターフェース確立要求メッセージを受信し、インターフェース確立要求メッセージと第１ＶＮＦＭのインターフェース確立ポリシーとに従って、通信インターフェースの確立を許可するかを決定し、通信インターフェースの確立を許可すると決定したとき、インターフェース確立応答メッセージを第２ＶＮＦＭに送信することができ、ここで、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されることを示すために用いられる。本発明のこの実施形態において提供される該装置によると、第２ＶＮＦＭがインターフェース確立要求メッセージを装置に送信した後に、第１ＶＮＦＭと第２ＶＮＦＭとの間の通信インターフェースは、第１ＶＮＦＭからの許可の下、確立され得て、これにより、第１ＶＮＦＭと第２ＶＮＦＭとは、通信インターフェースを用いることにより、直接通信することができ、それにより、第１ＶＮＦＭと第２ＶＮＦＭとの間の通信の効率を向上させる。
【０２４５】
図８に示されているように、本発明のこの実施形態は、装置を提供する。該装置は、図３又は図５に示されている実施形態の第２ＶＮＦＭがに位置するエンティティ装置であってよく、又は、ＮＦＶシステムに存在し、第２ＶＮＦＭにより実行され得る方法手順を実行できる論理機能モジュールが位置するエンティティ装置であってよい。エンティティ装置は、第２ＶＮＦＭが位置するエンティティ装置に個々に配置されてよく、又は、第２ＶＮＦＭが位置するエンティティ装置と通信できるエンティティ装置であってよい。装置は、チップの形式で表れてよい。チップは、第２ＶＮＦＭにより実行され得る方法手順を実装できるアプリケーションプログラムを保持する。
【０２４６】
具体的には、該装置は、インターフェース確立要求メッセージを第１ＶＮＦＭに送信するよう構成される送信ユニット２０であって、インターフェース確立要求メッセージは、第１ＶＮＦＭと第２ＶＮＦＭとの間の通信インターフェースを確立するよう要求するために用いられる、送信ユニット２０と、第１ＶＮＦＭにより送信されたインターフェース確立応答メッセージを受信すよう構成される受信ユニット２１であって、インターフェース確立応答メッセージは、通信インターフェースが問題なく確立されたことを示すために用いられる、受信ユニット２１とを備え得る。
【０２４７】
任意選択的に、図８に関連して、図９に示されているように、該装置は、取得ユニット２２をさらに備える。
【０２４８】
取得ユニット２２は、送信ユニット２０がインターフェース確立要求メッセージを第１ＶＮＦＭに送信する前に、第１ＶＮＦＭの属性を取得するよう構成され、ここで、第１ＶＮＦＭの属性は、少なくとも第１ＶＮＦＭのアイデンティティを含み、第１ＶＮＦＭの属性は、送信ユニット２０により、インターフェース確立要求メッセージを第１ＶＮＦＭに送信するために用いられる。
【０２４９】
任意選択的に、取得ユニット２２は、第２ＶＮＦＭにおいて格納される第１ＶＮＦＭの属性を取得するよう具体的に構成される。
【０２５０】
任意選択的に、図９に関連して、図１０に示されているように、取得ユニット２２は、ブロードキャストモジュール２２０と、受信モジュール２２１とを備える。
【０２５１】
ブロードキャストモジュール２２０は、アイデンティティ要求メッセージをブロードキャストするよう構成され、ここで、アイデンティティ要求メッセージは、インターフェース確立要求メッセージが送信されるべきＶＮＦＭの属性を要求するために用いられる。
【０２５２】
受信モジュール２２１は、第１ＶＮＦＭにより送信されたアイデンティティ応答メッセージを受信するよう構成され、ここで、アイデンティティ応答メッセージは、第１ＶＮＦＭの属性を保持する。
【０２５３】
本発明のこの実施形態は、装置を提供する。該装置は、インターフェース確立要求メッセージを第１ＶＮＦＭに送信し、第１ＶＮＦＭにより送信されたインターフェース確立応答メッセージを受信することができ、ここで、インターフェース確立要求メッセージは、第１ＶＮＦＭと第２ＶＮＦＭとの間の通信インターフェースを確立するよう要求ために用いられ、インターフェース確立応答メッセージは、通信インターフェースが問題なく確立されたことを示すために用いられる。本発明のこの実施形態において提供される該装置によると、第２ＶＮＦＭにより送信されたインターフェース確立要求メッセージが受信された後に、第１ＶＮＦＭが第１ＶＮＦＭと第２ＶＮＦＭとの間の通信インターフェースの確立を許可すると決定したとき、第１ＶＮＦＭは、通信インターフェースの確立を完了させるようにインターフェース確立応答メッセージを第２ＶＮＦＭに送信し、これにより、第１ＶＮＦＭと第２ＶＮＦＭとは、通信インターフェースを用いることにより情報のやり取りを直接実行することができ、それにより、第１ＶＮＦＭと第２ＶＮＦＭとの間の通信の効率を向上させる。
【０２５４】
［実施形態４］
図１１に示されているように、本発明のこの実施形態は、装置を提供する。装置は、前述の実施形態の第１ＶＮＦＭが位置するエンティティ装置であってよく、又は、第１ＶＮＦＭが位置するエンティティ装置と通信できるエンティティ装置であってよい。該装置は、第２ＶＮＦＭにより実行され得る方法手順を実行できる。具体的には、該装置は、プロセッサ３０と、メモリ３１と、通信インターフェース３２と、システムバス３３とを備え得る。プロセッサ３０と、メモリ３１と、通信インターフェース３２とは、システムバス３３を用いることにより、接続されて相互通信を完了する。
【０２５５】
プロセッサ３０は、中央演算処理装置（英語表記：ｃｅｎｔｒａｌ  ｐｒｏｃｅｓｓｉｎｇ  ｕｎｉｔ、略してＣＰＵ）、又は、特定用途向け集積回路（英語表記：ａｐｐｌｉｃａｔｉｏｎ  ｓｐｅｃｉｆｉｃ  ｉｎｔｅｇｒａｔｅｄ  ｃｉｒｃｕｉｔ、略してＡＳＩＣ）であってよく、又は、本発明のこの実施形態を実装する１つ又は複数の集積回路として構成されてよい。
【０２５６】
メモリ３１は、揮発性メモリ（英語表記：ｖｏｌａｔｉｌｅ  ｍｅｍｏｒｙ）、例えば、ランダムアクセスメモリ（英語表記：ｒａｎｄｏｍ−ａｃｃｅｓｓ  ｍｅｍｏｒｙ、略してＲＡＭ）を含んでよい。メモリ３１はまた、不揮発性メモリ（英語表記：ｎｏｎ−ｖｏｌａｔｉｌｅ  ｍｅｍｏｒｙ）、例えば、リードオンリメモリ（英語表記：ｒｅａｄ−ｏｎｌｙ  ｍｅｍｏｒｙ、略してＲＯＭ）、フラッシュメモリ（英語表記：ｆｌａｓｈ  ｍｅｍｏｒｙ）、ハードディスクドライブ（英語表記：ｈａｒｄ  ｄｉｓｋ  ｄｒｉｖｅ、略してＨＤＤ）、又はソリッドステートドライブ（英語表記：ｓｏｌｉｄ−ｓｔａｔｅ  ｄｒｉｖｅ、略してＳＳＤ）を含んでよい。メモリ３１はさらに、前述の種類のメモリの組み合わせを含んでよい。
【０２５７】
通信インターフェース３２は、例えば、ＮＦＶＯと相互作用するなど、別のノードと相互作用するよう構成される。
【０２５８】
装置が動作するとき、プロセッサ３０及びメモリ３１は、図２又は図４に示されている方法手順を実行し得る。このことは、具体的には以下を含む。
【０２５９】
プロセッサ３０は、通信インターフェース３２を用いることにより、第２ＶＮＦＭにより送信されたインターフェース確立要求メッセージを受信し、インターフェース確立要求メッセージと第１ＶＮＦＭのインターフェース確立ポリシーとに従って、通信インターフェースの確立を許可するかを決定し、通信インターフェースの確立を許可すると決定したとき、通信インターフェース３２を用いることにより、インターフェース確立応答メッセージを第２ＶＮＦＭに送信するよう構成され、ここで、インターフェース確立応答メッセージは、通信インターフェースが問題なく確立されたことを示すために用いられ、インターフェース確立要求メッセージは、第１ＶＮＦＭと第２ＶＮＦＭとの間の通信インターフェースを確立するよう要求するために用いられる。
【０２６０】
メモリ３１は、インターフェース確立要求メッセージのコードと、第１ＶＮＦＭのインターフェース確立ポリシーのコードと、インターフェース確立応答メッセージと、前述の工程を完了させるようプロセッサ３０を制御するソフトウェアプログラムとを格納するよう構成され、これにより、プロセッサ３０は、ソフトウェアプログラムを実行し、インターフェース確立要求メッセージのコードと第１ＶＮＦＭのインターフェース確立ポリシーのコードと、インターフェース確立応答メッセージとを呼び出すことにより、前述の工程を完了させる。
【０２６１】
任意選択的に、第１ＶＮＦＭのインターフェース確立ポリシーは、確立されることが第１ＶＮＦＭにより許可される通信インターフェースの最大数量を含む。
【０２６２】
プロセッサ３０は、インターフェース確立要求メッセージに従って、第１ＶＮＦＭの確立されている通信インターフェースの数量が、確立されることが第１ＶＮＦＭにより許可される通信インターフェースの最大数量より少ないかを決定するよう具体的に構成される。
【０２６３】
プロセッサ３０は、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成される。
【０２６４】
プロセッサ３０は、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【０２６５】
任意選択的に、第１ＶＮＦＭのインターフェース確立ポリシーはさらに、ＶＮＦＭ間の優先度関係を含む。優先度関係は、第１ＶＮＦＭにより、第１ＶＮＦＭと別のＶＮＦＭとの間の通信インターフェースを確立するために用いられる。
【０２６６】
プロセッサ３０は、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成される。
【０２６７】
プロセッサ３０は、第２ＶＮＦＭの優先度に従って、優先度関係における第２ＶＮＦＭに対応する優先度を決定するよう具体的に構成される。
【０２６８】
プロセッサ３０は、優先度関係における第２ＶＮＦＭに対応する優先度が、優先度関係における第３ＶＮＦＭに対応する優先度より高いかを決定するよう具体的に構成される。第３ＶＮＦＭは、優先度関係において最も低い優先度に対応し、第１ＶＮＦＭと通信インターフェースを確立している複数のＶＮＦＭのうちのＶＮＦＭである。
【０２６９】
プロセッサ３０は、優先度関係における第２ＶＮＦＭに対応する優先度が優先度関係における第３ＶＮＦＭに対応する優先度より高いとき、通信インターフェースの確立を許可すると決定するよう具体的に構成される。
【０２７０】
プロセッサ３０は、優先度関係における第２ＶＮＦＭに対応する優先度が優先度関係における第３ＶＮＦＭに対応する優先度より低いとき、通信インターフェースの確立を許可しないと決定するよう具体的に構成される。
【０２７１】
任意選択的に、第１ＶＮＦＭのインターフェース確立ポリシーは、確立されることが第１ＶＮＦＭにより許可される通信インターフェースの最大数量と、第１リストとを含み、第１リストは、ブラックリスト又はホワイトリストのうちの少なくとも１つを含み、は、ブラックリストは、第１ＶＮＦＭとインターフェースを確立することが第１ＶＮＦＭにより許可されないＶＮＦＭのアイデンティティを含み、ホワイトリストは、第１ＶＮＦＭとインターフェースを確立することが第１ＶＮＦＭにより許可されるＶＮＦＭのアイデンティティを含み、インターフェース確立要求メッセージは、第２ＶＮＦＭのアイデンティティを保持する。
【０２７２】
プロセッサ３０は、インターフェース確立要求メッセージにおいて保持されている第２ＶＮＦＭのアイデンティティを取得するよう具体的に構成される。
【０２７３】
プロセッサ３０は、第１リストが少なくともホワイトリストを含み、ホワイトリストが第２ＶＮＦＭのアイデンティティを含むとき、通信インターフェースの確立を許可すると決定するよう具体的に構成される。
【０２７４】
プロセッサ３０は、第１リストが少なくともブラックリストを含み、ブラックリストが第２ＶＮＦＭのアイデンティティを含むとき、通信インターフェースの確立を許可しないと決定するよう具体的に構成される。
【０２７５】
プロセッサ３０は、第１リストが第２ＶＮＦＭのアイデンティティを含まないとき、第１ＶＮＦＭの確立されている通信インターフェースの数量が、確立されることが第１ＶＮＦＭにより許可される通信インターフェースの最大数量より少ないかを決定するよう具体的に構成される。
【０２７６】
プロセッサ３０は、第１ＶＮＦＭの確立されている通信インターフェースの数量が、確立されることが第１ＶＮＦＭにより許可される通信インターフェースの最大数量より少ないとき、通信インターフェースの確立を許可すると決定するよう具体的に構成される。
【０２７７】
プロセッサ３０は、第１ＶＮＦＭの確立されている通信インターフェースの数量が、確立されることが第１ＶＮＦＭにより許可される通信インターフェースの最大数量に等しいとき、通信インターフェースの確立を許可しないと決定するよう具体的に構成される。
【０２７８】
任意選択的に、第１ＶＮＦＭのインターフェース確立ポリシーはさらに、ＶＮＦＭ間の優先度関係を含む。優先度関係は、第１ＶＮＦＭにより、第１ＶＮＦＭと別のＶＮＦＭとの間の通信インターフェースを確立するために用いられる。
【０２７９】
プロセッサ３０は、第１ＶＮＦＭの確立されている通信インターフェースの数量が、確立されることが第１ＶＮＦＭにより許可される通信インターフェースの最大数量に等しいとき、第２ＶＮＦＭの優先度を取得するよう具体的に構成される。
【０２８０】
プロセッサ３０は、第２ＶＮＦＭの優先度に従って、優先度関係における第２ＶＮＦＭに対応する優先度を決定するよう具体的に構成される。
【０２８１】
プロセッサ３０は、優先度関係における第２ＶＮＦＭに対応する優先度が優先度関係における第４ＶＮＦＭに対応する優先度より高いかを決定するよう具体的に構成される。
【０２８２】
第１リストが少なくともホワイトリストを含むとき、第４ＶＮＦＭは、優先度関係において最も低い優先度に対応し、アイデンティティがホワイトリストに存在せずに第１ＶＮＦＭと通信インターフェースを確立している複数のＶＮＦＭのうちのＶＮＦＭである。
【０２８３】
第１リストがホワイトリストを含まないとき、第４ＶＮＦＭは、優先度関係において最も低い優先度に対応し、第１ＶＮＦＭと通信インターフェースを確立している複数のＶＮＦＭのうちのＶＮＦＭである。
【０２８４】
プロセッサ３０は、優先度関係における第２ＶＮＦＭに対応する優先度が優先度関係における第４ＶＮＦＭに対応する優先度より高いとき、通信インターフェースの確立を許可すると決定するよう具体的に構成される。
【０２８５】
プロセッサ３０は、優先度関係における第２ＶＮＦＭに対応する優先度が優先度関係における第４ＶＮＦＭに対応する優先度より低いとき、通信インターフェースの確立を許可しないと決定するよう具体的に構成される。
【０２８６】
任意選択的に、プロセッサ３０は、インターフェース確立要求メッセージにおいて保持される第２ＶＮＦＭの優先度を取得するよう具体的に構成される。
【０２８７】
代わりに、プロセッサ３０は、第１ＶＮＦＭに格納される第２ＶＮＦＭの優先度を取得するよう具体的に構成される。
【０２８８】
任意選択的に、プロセッサ３０はさらに、インターフェース確立応答メッセージを第２ＶＮＦＭに送信した後に更新されたブラックリストを取得するよう構成される。
【０２８９】
プロセッサ３０はさらに、更新されたブラックリストが第２ＶＮＦＭのアイデンティティを含むと決定したとき、通信インターフェースを切断するよう構成される。
【０２９０】
任意選択的に、プロセッサ３０はさらに、インターフェース確立応答メッセージを第２ＶＮＦＭに送信した後に、第２ＶＮＦＭにより送信されたインターフェース切断要求メッセージを受信するよう構成され、ここで、インターフェース切断要求メッセージは、通信インターフェースを切断するようプロセッサ３０に命令するために用いられる。
【０２９１】
プロセッサ３０はさらに、インターフェース切断要求メッセージに従って、通信インターフェースを切断するよう構成される。
【０２９２】
第５の態様又は第５の態様の第１の可能な実装方式から第５の態様の第５の可能な実装方式のうちの何れか１つに関連して、第８の可能な実装方式において、プロセッサ３０はさらに、通信インターフェースの確立を許可しないと決定したとき、インターフェース確立拒否メッセージを第２ＶＮＦＭに送信するよう構成され、ここで、インターフェース確立拒否メッセージは、通信インターフェースの確立が失敗したことを示すために用いられる。
【０２９３】
本発明のこの実施形態は、装置を提供する。該装置は、第２ＶＮＦＭにより送信されたインターフェース確立要求メッセージを受信し、インターフェース確立要求メッセージと第１ＶＮＦＭのインターフェース確立ポリシーとに従って、通信インターフェースの確立を許可するかを決定し、通信インターフェースの確立を許可すると決定したとき、インターフェース確立応答メッセージを第２ＶＮＦＭに送信することができ、ここで、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されたことを示すために用いられる。本発明のこの実施形態において提供される該装置によると、第２ＶＮＦＭがインターフェース確立要求メッセージを装置に送信した後に、第１ＶＮＦＭと第２ＶＮＦＭとの間の通信インターフェースは、第１ＶＮＦＭからの許可の下、確立され得て、これにより、第１ＶＮＦＭと第２ＶＮＦＭとは、通信インターフェースを用いることにより、直接通信することができ、それにより、第１ＶＮＦＭと第２ＶＮＦＭとの間の通信の効率を向上させる。
【０２９４】
図１２に示されているように、本発明のこの実施形態は、装置を提供する。装置は、前述の実施形態の第２ＶＮＦＭが位置するエンティティ装置であってよく、又は、第２ＶＮＦＭが位置するエンティティ装置と通信できるエンティティ装置であってよい。該装置は、第２ＶＮＦＭにより実行され得る方法手順を実行できる。具体的には、該装置は、プロセッサ４０と、メモリ４１と、通信インターフェース４２と、システムバス４３とを備え得る。プロセッサ４０と、メモリ４１と、通信インターフェース４２とは、システムバス４３を用いることにより、接続され相互通信を完了させる。
【０２９５】
プロセッサ４０は、ＣＰＵ、又はＡＳＩＣであってよく、又は、本発明のこの実施形態を実装する１つ又は複数の集積回路として構成されてよい。
【０２９６】
メモリ４１は、揮発性メモリ、例えば、ＲＡＭを含んでよい。メモリ４１はまた、不揮発性メモリ、例えば、ＲＯＭ、フラッシュメモリ、ＨＤＤ、又はＳＳＤを含んでよい。メモリ４１はさらに、前述の種類のメモリの組み合わせを含んでよい。
【０２９７】
通信インターフェース４２は、別のノードと相互作用する、例えば、ＮＦＶＯと相互作用するよう構成される。
【０２９８】
装置が動作するとき、プロセッサ４０及びメモリ４１は、図３又は図４に示されている方法手順を実行し得る。このことは、具体的には、以下を含む。
【０２９９】
プロセッサ４０は、通信インターフェース４２を用いることにより、インターフェース確立要求メッセージを第１ＶＮＦＭに送信し、通信インターフェース４２を用いることにより、第１ＶＮＦＭにより送信されたインターフェース確立応答メッセージを受信するよう構成され、ここで、インターフェース確立要求メッセージは、第１ＶＮＦＭと第２ＶＮＦＭとの間の通信インターフェースを確立するよう要求されるために用いられ、インターフェース確立応答メッセージは、通信インターフェースが問題なく確立されたことを示すために用いられる。
【０３００】
メモリ４１は、インターフェース確立応答メッセージのコードと、インターフェース確立要求メッセージのコードと、前述の工程を完了させるようプロセッサ４０を制御するソフトウェアプログラムとを格納するよう構成され、これにより、プロセッサは、ソフトウェアプログラムを実行し、インターフェース確立応答メッセージのコードとインターフェース確立要求メッセージのコードとを呼び出すことにより、前述の工程を完了させる。
【０３０１】
任意選択的に、プロセッサ４０は、インターフェース確立要求メッセージを第１ＶＮＦＭに送信する前に、第１ＶＮＦＭの属性を取得するよう構成され、ここで、第１ＶＮＦＭの属性は、少なくとも第１ＶＮＦＭのアイデンティティを含み、第１ＶＮＦＭの属性は、インターフェース確立要求メッセージを第１ＶＮＦＭに送信するために用いられる。
【０３０２】
任意選択的に、プロセッサ４０は、第２ＶＮＦＭにおいて格納される第１ＶＮＦＭの属性を取得するよう具体的に構成される。
【０３０３】
任意選択的に、プロセッサ４０は、アイデンティティ要求メッセージをブロードキャストするよう具体的に構成され、ここで、アイデンティティ要求メッセージは、インターフェース確立要求メッセージが送信されるべきＶＮＦＭの属性を要求するために用いられる。
【０３０４】
プロセッサ４０は、第１ＶＮＦＭにより送信されたアイデンティティ応答メッセージを受信するよう具体的に構成され、ここで、アイデンティティ応答メッセージは、第１ＶＮＦＭの属性を保持する。
【０３０５】
本発明のこの実施形態は、装置を提供する。該装置は、インターフェース確立要求メッセージを第１ＶＮＦＭに送信し、第１ＶＮＦＭにより送信されたインターフェース確立応答メッセージを受信することができ、ここで、インターフェース確立要求メッセージは、第１ＶＮＦＭと第２ＶＮＦＭとの間の通信インターフェースを確立するよう要求するために用いられ、インターフェース確立応答メッセージは、通信インターフェースが問題なく確立されたことを示すために用いられる。本発明のこの実施形態において提供される該装置によると、第２ＶＮＦＭにより送信されたインターフェース確立要求メッセージが受信された後に、第１ＶＮＦＭが第１ＶＮＦＭと第２ＶＮＦＭとの間の通信インターフェースの確立を許可すると決定したとき、第１ＶＮＦＭは、通信インターフェースの確立を完了させるように、インターフェース確立応答メッセージを第２ＶＮＦＭに送信し、これにより、第１ＶＮＦＭと第２ＶＮＦＭとは、通信インターフェースを用いることにより、情報のやり取りを直接実行することができ、それにより、第１ＶＮＦＭと第２ＶＮＦＭとの間の通信の効率を向上させる。
【０３０６】
［実施形態５］
図１３に示されているように、本発明のこの実施形態は、通信システムを提供する。該通信システムは、図５から図７に示されている装置のうちの何れか１つ、及び図８から図１０に示されている装置のうちの何れか１つを含み得る。代わりに、該通信システムは、図１１に示されている装置、及び図１２に示されている装置を含み得る。
【０３０７】
図５から図７に示されている装置のうちの何れか１つ、及び図１１に示されている装置は、第１ＶＮＦＭと称されてよく、図８から図１０に示されている装置のうちの何れか１つ、及び図１２に示されている装置は、第２ＶＮＦＭと称されてよい。
【０３０８】
本発明のこの実施形態において、第１ＶＮＦＭは、第２ＶＮＦＭにより送信されたインターフェース確立要求メッセージを受信し、インターフェース確立要求メッセージと第１ＶＮＦＭのインターフェース確立ポリシーとに従って、通信インターフェースの確立を許可するかを決定し、通信インターフェースの確立を許可すると決定したとき、インターフェース確立応答メッセージを第２ＶＮＦＭに送信することができ、第２ＶＮＦＭは、インターフェース確立要求メッセージを第１ＶＮＦＭに送信し、第１ＶＮＦＭにより送信されたインターフェース確立応答メッセージを受信することができる。インターフェース確立要求メッセージは、第１ＶＮＦＭと第２ＶＮＦＭとの間の通信インターフェースを確立するよう要求するために用いられる。インターフェース確立応答メッセージは、通信インターフェースが問題なく確立されたことを示すために用いられる。
【０３０９】
本発明のこの実施形態において提供されている通信システムにおける第１ＶＮＦＭは、図２又は図４に示されているＶＮＦＭ間のインターフェースを確立するための方法を実行できることが理解され得る。ＶＮＦＭにおけるモジュール又は構成要素の具体的な機能、及び該方法を実行する手順については、図２又は図４に示されている実施形態の説明を参照し、その詳細はここでは説明されない。
【０３１０】
本発明のこの実施形態において提供されている通信システムにおける第２ＶＮＦＭは、図３又は図４に示されているＶＮＦＭ間のインターフェースを確立するために方法を実行できる。ＶＮＦＭにおけるモジュール又は構成要素の具体的な機能、及び該方法を実行する手順については、図３又は図４に示されている実施形態の説明を参照し、その詳細はここでは説明されない。
【０３１１】
本発明のこの実施形態において提供される通信システムによると、第２ＶＮＦＭは、インターフェース確立要求メッセージを第１ＶＮＦＭに送信することができ、第２ＶＮＦＭにより送信されたインターフェース確立要求メッセージを受信した後に、第１ＶＮＦＭは、インターフェース確立要求メッセージと、第１ＶＮＦＭのインターフェース確立ポリシーとに従って、通信インターフェースの確立を許可するかを決定することができ、通信インターフェースの確立を許可することを決定したとき、第１ＶＮＦＭは、インターフェース確立応答メッセージを第２ＶＮＦＭに送信し、第２ＶＮＦＭが第１ＶＮＦＭにより送信されたインターフェース確立応答メッセージを受信した後に、通信インターフェースが問題なく確立されたことが示される。インターフェース確立要求メッセージは、第１ＶＮＦＭと第２ＶＮＦＭとの間の通信インターフェースを確立するよう要求するために用いられる。すなわち、第２ＶＮＦＭがインターフェース確立要求メッセージを第１ＶＮＦＭに送信した後に、第１ＶＮＦＭと第２ＶＮＦＭとの間の通信インターフェースは、第１ＶＮＦＭからの許可の下、確立され得る。これにより、第１ＶＮＦＭと第２ＶＮＦＭとは、通信インターフェースを用いることにより、直接通信することができ、それにより、第１ＶＮＦＭと第２ＶＮＦＭとの間の通信の効率を向上させる。
【０３１２】
簡便且つ簡潔な説明という目的のために、前述の機能モジュールの分割が説明の例と受け取られることが、当業者により明確に理解され得る。実際の応用において、前述の機能は、異なる機能モジュールに割り当てられ、必要に応じて実装され得る。すなわち、装置の内部構造は異なる機能モジュールに分割され、上述された機能の全て又はいくつかを実装する。前述されたシステム、装置、及びユニットの詳細な動作処理については、前述された方法の実施形態において対応する処理を参照するものとし、詳細は本明細書において再び説明されない。
【０３１３】
本出願において提供されるいくつかの実施形態において、開示されるシステム、装置、及び方法は、他の方式で実装されてよいことを理解されるべきである。例えば、記載されている装置の実施形態は、例に過ぎない。例えば、モジュール又はユニットの分割は単に、論理機能の分割であり、実際の実装においては他の分割であり得る。例えば、複数のユニット又は構成要素は、組み合わせられてよく、又は、別のシステム内に統合されてよく、又は、いくつかの特徴が無視され又は実行されない場合がある。加えて、表示されている、又は議論されている相互連結、又は直接連結、若しくは通信接続は、いくつかのインターフェースを用いることにより実装され得る。装置又はユニット間の間接連結又は通信接続は、電子的、機械的、又は他の形態において実装されてよい。
【０３１４】
別個の部分として記載されているユニットは、物理的に離れていてもよく、又はそうでなくてもよく、ユニットとして表示されている部分は、物理的なユニットであっても、又はそうでなくてもよく、１箇所に位置してもよく、又は複数のネットワークユニット上で分散されてもよい。ユニットのいくつか又は全ては、実施形態の解決手段の目的を達成するために、実際の必要に応じて選択されてよい。
【０３１５】
加えて、本発明の実施形態における機能的なユニットは、１つの処理ユニット内に統合されてよく、又は、ユニットのそれぞれは、物理的に単独で存在してよく、又は、２つ又はそれより多いユニットが１つのユニット内に統合される。統合されたユニットは、ハードウェアの形式において実装されてよく、又は、ソフトウェア機能ユニットの形式において実装されてよい。
【０３１６】
統合されたユニットがソフトウェア機能ユニットの形式において実装され、販売され、又は、独立の製品として用いられるとき、統合されたユニットは、コンピュータ可読記憶媒体に格納され得る。そのような理解に基づき、本発明の技術的解決手段は、本質的に、又は従来技術に寄与する部分は、又は技術的解決手段の全て又は一部は、ソフトウェア製品の形態で実装されてよい。ソフトウェア製品は記憶媒体に格納され、（パーソナルコンピュータ、サーバ、又はネットワークデバイスであってよい）コンピュータデバイスに指示するためのいくつかの命令を含み、本発明の実施形態において説明された複数の方法の全て又はいくつかの段階を実行し得る。前述の記憶媒体は、ＵＳＢフラッシュドライブ、リードオンリメモリ（英語全表記：Ｒｅａｄ−Ｏｎｌｙ  Ｍｅｍｏｒｙ、略してＲＯＭ）、ランダムアクセスメモリ（英語全表記：Ｒａｎｄｏｍ  Ａｃｃｅｓｓ  Ｍｅｍｏｒｙ、略してＲＡＭ）、磁気ディスク、又は光ディスクなどの、プログラムコードを格納できる任意の媒体を含む。
【０３１７】
前述の説明は、本発明の具体的な実装に過ぎず、本発明の保護範囲を制限することが意図されるものではない。本発明において開示された技術的範囲内で、当業者によって容易に想到される任意のバリエーション又は置換は、本発明の保護範囲に含まれるものとする。従って、本発明の保護範囲は、特許請求の範囲の保護範囲に従うものとする。
【図１】
0006445715.tif 000003
【図２】
0006445715.tif 000004
【図３】
0006445715.tif 000005
【図４】
0006445715.tif 000006
【図５】
0006445715.tif 000007
【図６】
0006445715.tif 000008
【図７】
0006445715.tif 000009
【図８】
0006445715.tif 000010
【図９】
0006445715.tif 000011
【図１０】
0006445715.tif 000012
【図１１】
0006445715.tif 000013
【図１２】
0006445715.tif 000014
【図１３】
0006445715.tif 000015